(57)【特許請求の範囲】
【請求項１】
データ送信方法であって、
第１アクセスネットワーク装置により、第２アクセスネットワーク装置とのデータ無線ベアラDRBに基づくトンネル及びセッションに基づくトンネルを確立するステップと、
前記第１アクセスネットワーク装置により、転送データパケットを前記第２アクセスネットワーク装置から、前記DRBに基づくトンネル及び前記セッションに基づくトンネルを介して受信するステップと、
前記第１アクセスネットワーク装置により、前記第２アクセスネットワーク装置のDRB上のパケットデータコンバージェンスプロトコルPDCPレイヤデータパケットを、前記第２アクセスネットワーク装置の前記DRBに対応する第１DRBにマッピングするステップと、
前記第１アクセスネットワーク装置により、前記PDCPレイヤデータパケットを端末へ前記第１DRBで送信するステップと、
前記第１アクセスネットワーク装置により、前記端末へ前記第１DRBで、コアネットワークから受信したデータパケットを送信するステップと、
を含み、
前記DRBに基づくトンネルは、前記第１アクセスネットワーク装置により、PDCPレイヤデータパケットを前記第２アクセスネットワーク装置から受信するために使用され、
前記セッションに基づくトンネルは、前記第１アクセスネットワーク装置により、サービスデータアダプテーションプロトコルSDAPレイヤデータパケットを前記第２アクセスネットワーク装置から受信するために使用される、方法。
【請求項２】
前記第２アクセスネットワーク装置における、フローと前記第２アクセスネットワーク装置の前記DRBとの間のマッピング関係は、前記第１アクセスネットワーク装置におけるフローと前記第１DRBとの間のマッピング関係と同じである、請求項１に記載の方法。
【請求項３】
前記第１DRB及び前記第２アクセスネットワーク装置の前記DRBは、同じPDCPシーケンス番号SN状態及び同じハイパーフレーム番号HFN状態を有する、請求項１又は２に記載の方法。
【請求項４】
前記方法は、
前記第１アクセスネットワーク装置により、前記第２アクセスネットワーク装置における、フローと前記第２アクセスネットワーク装置の前記DRBとの間の前記マッピング関係を、前記第２アクセスネットワーク装置から受信するステップ、を更に含む請求項２に記載の方法。
【請求項５】
アクセスネットワーク装置であって、
データ無線ベアラDRBに基づくトンネル及びセッションに基づくトンネルを確立するよう構成されるユニットと、
転送データパケットを第２アクセスネットワーク装置から、前記DRBに基づくトンネル及び前記セッションに基づくトンネルを介して受信するよう構成されるユニットと、
前記アクセスネットワーク装置は、前記第２アクセスネットワーク装置のDRB上のパケットデータコンバージェンスプロトコルPDCPレイヤデータパケットを前記第２アクセスネットワーク装置の前記DRBに対応する第１DRBにマッピングするよう構成されるユニットと、
前記PDCPレイヤデータパケットを端末へ前記第１DRBで送信するよう構成されるユニットと、
前記PDCPレイヤデータパケットを前記端末へ前記第１DRBで送信した後に、前記端末へ前記第１DRBで、コアネットワークから受信したデータパケットを送信するよう構成されるユニットと、
を含み、
前記DRBに基づくトンネルは、PDCPレイヤデータパケットを前記第２アクセスネットワーク装置から受信するために使用され、
前記セッションに基づくトンネルは、サービスデータアダプテーションプロトコルSDAPレイヤデータパケットを前記第２アクセスネットワーク装置から受信するために使用される、アクセスネットワーク装置。
【請求項６】
前記第２アクセスネットワーク装置における、フローと前記第２アクセスネットワーク装置の前記DRBとの間のマッピング関係は、前記アクセスネットワーク装置におけるフローと前記第１DRBとの間のマッピング関係と同じである、請求項５に記載のアクセスネットワーク装置。
【請求項７】
前記第１DRB及び前記第２アクセスネットワーク装置の前記DRBは、同じPDCPシーケンス番号SN状態及び同じハイパーフレーム番号HFN状態を有する、請求項５又は６に記載のアクセスネットワーク装置。
【請求項８】
前記アクセスネットワーク装置は、
前記第２アクセスネットワーク装置における前記フローと前記第２アクセスネットワーク装置の前記DRBとの間の前記マッピング関係を、前記第２アクセスネットワーク装置から受信するよう構成されるユニット、を更に含む請求項６に記載のアクセスネットワーク装置。
【請求項９】
前記アクセスネットワーク装置はターゲットアクセスネットワーク装置であり、前記第２アクセスネットワーク装置はソースアクセスネットワーク装置である、又は、前記アクセスネットワーク装置はマスタ基地局であり、前記第２アクセスネットワーク装置は２次基地局である、又は、前記アクセスネットワーク装置は２次基地局であり、前記第２アクセスネットワーク装置はマスタ基地局である、請求項５乃至８のいずれか一項に記載のアクセスネットワーク装置。
【請求項１０】
機器であって、少なくとも１つのメモリに結合された少なくとも１つのプロセッサを含み、前記少なくとも１つのプロセッサは、前記少なくとも１つのメモリに格納された命令を実行して、端末装置に請求項１乃至４のいずれか一項に記載の方法を実施させるよう構成される、機器。
【請求項１１】
格納されたプログラムを有するコンピュータ可読記憶媒体であって、前記プログラムは、請求項１乃至４のいずれか一項に記載の方法を実行するための命令を含む、コンピュータ可読記憶媒体。
【請求項１２】
通信システムであって、請求項１乃至４のいずれか一項に記載の方法を実施するようそれぞれ構成される第１及び第２アクセスネットワーク装置を含む通信システム。
【発明の詳細な説明】
【技術分野】
【０００１】
［関連出願］
本願は、中国特許出願番号第２０１７１０１８３３０６.９号、２０１７年３月２４日に中国特許庁に出願、名称「DATA  TRANSMISSION  METHOD,  ACCESS  NETWORK  DEVICE,  TERMINAL,  AND  COMMUNICATIONS  SYSTEM」の優先権を主張する。該中国特許出願は、参照によりその全体がここに組み込まれる。
【０００２】
［技術分野］
本願は、無線通信の分野に関し、特に、データ送信方法、アクセスネットワーク装置、端末、及び通信システムに関する。
【背景技術】
【０００３】
ユーザ要件の絶え間ない増大に伴い、新無線アクセスネットワーク（new  radio  access  network,  New  RAN）においてより多くの縦型検索が行われる。新無線アクセスネットワークは、増加するモバイル通信要件を満たすために、既存無線通信システムより短い遅延及び高い帯域幅を提供し及び多数の接続をサポートできる。
【０００４】
新無線アクセスネットワークでは、サービス品質（quality  of  service,  QoS）管理は、フロー（flow）に基づき、アクセスネットワーク装置とコアネットワークとの間にプロトコルデータユニット（protocol  data  unit,  PDU）セッションを確立するステップであって、PDUセッションは複数のフローを含んでよく、異なるフローは異なるQoS要件を有してよい、ステップと、コアネットワークにより、フローのQoS要件を基地局に提供するステップと、基地局により、QoS要件に基づきフローからデータ無線ベアラ（data  radio  bearer,  DRB）へのマッピングを達成するステップと、を含む。例えば、基地局は、同じQoS要件を有するフローを同じDRBにマッピングし、フローをDRBで送信する。
【０００５】
基地局間のデータ送信の間、例えば、ハンドオーバ（handover）又はデュアルコネクティビティ（dual  connection,  DC）シナリオでは、トンネルがソース基地局とターゲット基地局との間に確立され、ソース基地局にある端末データパケットはターゲット基地局へ送信され、次に、ターゲット基地局が端末と通信する。ターゲット基地局及びソース基地局は、フローとDRBとの間の異なるマッピング関係を構成し得るので、端末データパケットは、ターゲット基地局へ送信される又は無線インタフェースを介して後に送信されるとき、損失し又は繰り返し送信される等することがある。結果として、端末の通信連続性が影響を受ける。
【発明の概要】
【０００６】
本願の実施形態は、データ送信方法、アクセスネットワーク装置、端末、及び通信システムを提供する。
【０００７】
第１の態様によると、本願の一実施形態は、データ送信方法であって、第１アクセスネットワーク装置により、転送データパケットを第２アクセスネットワーク装置から受信するステップと、前記第１アクセスネットワーク装置により、第１データ無線ベアラ（data  radio  bearer,  DRB）に、前記転送データパケットの中の、フロー識別子を含まないデータパケットをマッピングするステップであって、前記第１DRBは前記第２アクセスネットワーク装置のDRBに対応する、ステップと、前記第１アクセスネットワーク装置により、第２DRBに、第２マッピング関係に基づき、前記転送データパケットの中の、フロー識別子を含むデータパケットをマッピングするステップであって、前記第２マッピング関係は前記第１アクセスネットワーク装置におけるフローとDRBとの間のマッピング関係である、ステップと、を含む方法を提供する。
【０００８】
第１DRB及び第２アクセスネットワーク装置のDRBは、それぞれ、第１マッピング関係に適合し、第１マッピング関係は、第２アクセスネットワーク装置におけるフローとDRBとの間のマッピング関係である。第１DRBは、第２アクセスネットワーク装置のDRBの反射DRBである。
【０００９】
転送データパケットは、以下のデータパケット：第２アクセスネットワーク装置の、シーケンス番号が割り当てられ且つ受信肯定応答が端末から取得されていないパケットデータコンバージェンスプロトコル（packet  data  convergence  protocol,  PDCP）レイヤデータパケット；第２アクセスネットワーク装置の、シーケンス番号が割り当てられていないPDCPレイヤデータパケット；及び、第２アクセスネットワーク装置のサービスデータアダプテーションプロトコル（service  data  adaptation  protocol,  SDAP）レイヤデータパケット；のうちの少なくとも１種類を含む。
【００１０】
各アクセスネットワーク装置がフローとDRBとの間のマッピング関係を独立して設定できるという前提の下、フロー識別子を有するデータパケットが送信のために第２DRBにマッピングされ、フロー識別子を有しないデータパケットが送信のために第１DRBにマッピングされる。したがって、データパケット送信方法は、以下の問題を回避するために、実際のネットワーク状態に基づき選択できる：ハンドオーバ又はデュアルコネクティビティ又は別のシナリオで、各アクセスネットワーク装置がフローとDRBとの間のマッピング関係を独立して構成するために、データパケットが損失し又は繰り返し送信されること。これは、端末サービス継続性を向上し、通信品質を向上する。
【００１１】
可能な実装では、第１アクセスネットワーク装置は、端末へ、第１DRBで、転送データパケットの中の、フロー識別子を含まず且つシーケンス番号の割り当てられたデータパケットを送信し、第１アクセスネットワーク装置は、端末へ、第２DRBで、転送データパケットの中の、フロー識別子を含み且つシーケンス番号の割り当てられないデータパケットを送信する。データパケットは、PDCPレイヤデータパケットであってよく、したがって、シーケンス番号はPDCPレイヤシーケンス番号である。
【００１２】
可能な実装では、第１アクセスネットワーク装置は、端末へ第１DRBで、転送データパケットの中の、フロー識別子を含まないデータパケットを送信し、第１アクセスネットワーク装置は、端末へ第２DRBで、転送データパケットの中の、フロー識別子を含むデータパケットを送信する。フロー識別子を含むデータパケットは、フロー識別子の割り当てられたPDCPレイヤデータパケット、及び／又はSDAPレイヤデータパケットであってよい。
【００１３】
可能な実装では、第１アクセスネットワーク装置により、第２DRBへSDAPエンティティを介して、転送データパケットの中の、フロー識別子を含むデータパケットをルーティングするステップを更に含む。
【００１４】
可能な実装では、第１アクセスネットワーク装置により、転送データパケットを第２アクセスネットワーク装置から受信する前記ステップは、前記第１アクセスネットワーク装置により、前記転送データパケットを、前記第２アクセスネットワーク装置からDRBに基づき確立されたトンネル及びセッションに基づき確立されたトンネルを介して受信するステップを含み、DRBに基づき確立された前記トンネルは、前記第２アクセスネットワーク装置の、シーケンス番号を割り当てられたPDCPレイヤデータパケットを送信するために使用され、セッションに基づき確立された前記トンネルは、前記第２アクセスネットワーク装置のSDAPレイヤデータパケットを送信するために使用され、及び／又は前記第２アクセスネットワーク装置の、フロー識別子を含み且つシーケンス番号の割り当てられないPDCPレイヤデータパケットを送信するために使用される。
【００１５】
可能な実装では、第１アクセスネットワーク装置により、転送データパケットを第２アクセスネットワーク装置から受信する前記ステップは、前記第１アクセスネットワーク装置により、前記転送データパケットを前記第２アクセスネットワーク装置から、DRBに基づき確立されたトンネルを介して受信するステップを含む。DRBに基づき確立された１つ以上のトンネルがあってよい。例えば、DRBに基づき確立された２つのトンネルがあるとき、一方のトンネルはフロー識別子を有するデータパケットを送信するために使用されてよく、他方のトンネルはフロー識別子を有しないデータパケットを送信するために使用されてよい。
【００１６】
可能な実装では、第１アクセスネットワーク装置により、転送データパケットを第２アクセスネットワーク装置から受信する前記ステップは、前記第１アクセスネットワーク装置により、前記第２アクセスネットワーク装置から、セッションに基づき確立されたトンネルを介して、前記転送データパケットの中の、フロー識別子を含むデータパケットを受信するステップを含む。任意で、第１アクセスネットワーク装置は、第１DRBに、SDAPエンティティを介して、セッションに基づき確立されたトンネルから受信され且つシーケンス番号の割り当てられたPDCPレイヤデータパケットをルーティングし、及び、第２DRBに、シーケンス番号の割り当てられないPDCPレイヤデータパケット又はSDAPレイヤデータパケットをルーティングする。
【００１７】
前述の種々のトンネル確立方法は、複数の転送データパケット送信シナリオに適用可能である。フロー識別子を含む転送データパケット、フロー識別子を含まない転送データパケット、シーケンス番号の割り当てられた転送データパケット、及びシーケンス番号の割り当てられない転送データパケットは、全て、適切なトンネルを介して送信できる。したがって、データ転送処理におけるパケット損失又は繰り返しパケット送信が回避され、ネットワーク性能が向上する。
【００１８】
可能な実装では、第１DRBにマッピングされた転送データパケットの送信が完了した後に、方法は、第１アクセスネットワーク装置により、システムリソースを節約するために第１DRBを解放するステップを更に含む。
【００１９】
可能な実装では、第１アクセスネットワーク装置は、第２マッピング関係を第２アクセスネットワーク装置へ送信し、第２マッピング関係を端末へ第２アクセスネットワーク装置を介して送信してよい。
【００２０】
第２の態様によると、本願の一実施形態は、データ送信方法であって、第１アクセスネットワーク装置により、転送データパケットを第２アクセスネットワーク装置から受信するステップと、前記第１アクセスネットワーク装置により、第１DRBに、転送データパケットの中の、フロー識別子を含む少なくとも１つのデータパケットをマッピングするステップであって、前記第１DRBは前記第２ネットワーク装置のDRBに対応する、ステップと、を含む方法を提供する。
【００２１】
第１DRB及び第２アクセスネットワーク装置のDRBは、それぞれ、第１マッピング関係に適合し、第１マッピング関係は、第２アクセスネットワーク装置におけるフローとDRBとの間のマッピング関係である。
【００２２】
転送データパケットは、以下のデータパケット：第２アクセスネットワーク装置の、シーケンス番号が割り当てられ且つ受信肯定応答が端末から取得されていないPDCPレイヤデータパケット；第２アクセスネットワーク装置の、シーケンス番号が割り当てられていないPDCPレイヤデータパケット；及び、第２アクセスネットワーク装置のSDAPレイヤデータパケット；のうちの少なくとも１種類を含む。
【００２３】
可能な実装では、方法は、第１アクセスネットワーク装置により、第１DRBに、転送データパケットの中の、フロー識別子を含まないデータパケットをマッピングするステップを更に含む。
【００２４】
可能な実装では、方法は、第１アクセスネットワーク装置により、第２DRBに、第２マッピング関係に基づき、転送データパケットの中の、第１DRBにマッピングされたデータパケット以外のフロー識別子を含む少なくとも１つのデータパケットをマッピングするステップを更に含む。ここで、第２マッピング関係は、第１アクセスネットワーク装置におけるフローとDRBとの間のマッピング関係である。
【００２５】
可能な実装では、第１アクセスネットワーク装置は、転送データパケットを端末へ第１DRBで、又は第１DRB及び第２DRBで、送信する。
【００２６】
任意で、第２の態様では、異なる種類のトンネルが、転送データパケットを送信するために第１アクセスネットワーク装置と第２アクセスネットワーク装置との間に確立されてよい。特定のトンネル種類の例については、第１の態様における関連する記載を参照する。詳細は、再び記載されない。種々のトンネル確立方法は、複数の転送データパケット送信シナリオに適用可能である。フロー識別子を含む転送データパケット、フロー識別子を含まない転送データパケット、シーケンス番号の割り当てられた転送データパケット、及びシーケンス番号の割り当てられない転送データパケットは、全て、適切なトンネルを介して送信できる。したがって、データ転送処理におけるパケット損失又は繰り返しパケット送信が回避され、ネットワーク性能が向上する。
【００２７】
可能な実装では、方法は、第１アクセスネットワーク装置により、端末へ、第１DRBで、転送データパケットの中の、シーケンス番号の割り当てられたPDCPレイヤデータパケットを送信するステップと、第１アクセスネットワーク装置は、端末へ、第２DRBで、転送データパケットの中の、シーケンス番号の割り当てられないPDCPレイヤデータパケットを送信するステップと、を更に含む。
【００２８】
可能な実装では、第１DRBにマッピングされた転送データパケットの送信が完了した後に、方法は、第１アクセスネットワーク装置により、第１DRBを解放するステップを更に含む。
【００２９】
可能な実装では、第１アクセスネットワーク装置は、第２マッピング関係を第２アクセスネットワーク装置へ送信し、第２マッピング関係を端末へ第２アクセスネットワーク装置を介して送信してよい。
【００３０】
本願の本実施形態で提供されるデータ送信方法によると、第１アクセスネットワーク装置は、転送データパケットを端末へ、第２アクセスネットワーク装置に対応する第１DRBで送信する。さらに、より良いネットワーク性能を得るために、第１アクセスネットワーク装置は第２DRBを確立する。第２DRBは、転送データパケットの中で、第１DRBにマッピングされたデータパケット以外の、フロー識別子を有するデータパケットを送信するために使用され、第２DRBは、第１アクセスネットワーク装置により構成されたフローとDRBとの間のマッピング関係に適合する。したがって、転送データパケットは、種々の柔軟な送信方法で異なるDRBで送信でき、データパケット送信方法は、以下の問題を回避するために実際のネットワーク状態に基づき選択できる。ハンドオーバ又はデュアルコネクティビティ又は別のシナリオで、各基地局がフローとDRBとの間のマッピング関係を独立して構成するために、データパケットが損失し又は繰り返し送信されること。これは、端末サービス継続性を向上し、通信品質を向上する。
【００３１】
第３の態様によると、本願の一実施形態は、データ送信方法であって、第１アクセスネットワーク装置により、フロー識別子を含む転送データパケットを生成するステップと、前記第１アクセスネットワーク装置により、第２アクセスネットワーク装置へ、フロー識別子を含む前記転送データパケットを送信するステップと、を含む方法を提供する。
【００３２】
可能な実装では、方法は、第１アクセスネットワーク装置により、第１マッピング関係を第２アクセスネットワーク装置へ送信するステップであって、第１マッピング関係は、第２アクセスネットワーク装置におけるフローとDRBとの間のマッピング関係である、ステップ、を更に含む。
【００３３】
可能な実装では、第１アクセスネットワーク装置により、フロー識別子を含む転送データパケットを生成する前記ステップは、前記第１アクセスネットワーク装置により、前記転送用データパケットのキャッシュ位置を取得するステップであって、前記キャッシュ位置は、前記転送データパケットの前記フロー識別子に対応する、ステップと、前記第１アクセスネットワーク装置により、前記キャッシュ位置に基づき前記転送データパケットの前記フロー識別子を取得するステップと、前記第１アクセスネットワーク装置により、前記転送データパケットのヘッダに前記フロー識別子を追加するステップと、を含む。
【００３４】
可能な実装では、方法は、第１アクセスネットワーク装置により、第２アクセスネットワーク装置へ、フロー識別子を含まない転送データパケットを送信するステップを更に含む。
【００３５】
可能な実装では、転送データパケットは、以下のデータパケット：第１アクセスネットワーク装置の、シーケンス番号が割り当てられ且つ受信肯定応答が端末から取得されていないPDCPレイヤデータパケット；第１アクセスネットワーク装置の、シーケンス番号が割り当てられていないPDCPレイヤデータパケット；及び、第１アクセスネットワーク装置のSDAPレイヤデータパケット；のうちの少なくとも１種類を含む。
【００３６】
可能な実装では、転送データパケットは、第１アクセスネットワーク装置により端末から受信された順序の狂ったデータパケットを含む。
【００３７】
第４の態様によると、本願の一実施形態は、データ送信方法であって、第１アクセスネットワーク装置により、転送データパケットを第２アクセスネットワーク装置から受信するステップであって、前記転送データパケットはフロー識別子を含み、前記転送データパケットは、前記第２アクセスネットワーク装置により端末から受信された順序の狂ったPDCPレイヤデータパケットを含む、ステップを含む方法を提供する。
【００３８】
可能な実装では、第１アクセスネットワーク装置により、転送データパケットを第２アクセスネットワーク装置から受信する前記ステップは、前記第１アクセスネットワーク装置により、前記転送データパケットを前記第２アクセスネットワーク装置から、DRBに基づき確立されたトンネルを介して受信するステップを含む。
【００３９】
可能な実装では、方法は、第１アクセスネットワーク装置により、アップリンクデータパケットを端末から受信するステップを更に含み、アップリンクデータパケットは、以下のデータパケット：端末により第２アクセスネットワーク装置への送信に失敗し且つシーケンス番号の割り当てられたPDCPレイヤデータパケット；端末の、シーケンス番号の割り当てられないPDCPレイヤデータパケット；及び、端末の、SDAPレイヤデータパケット；のうちの少なくとも１種類を含む。
【００４０】
可能な実装では、前記第１アクセスネットワーク装置により、前記端末からアップリンクデータパケットを受信する前記ステップは、前記第１アクセスネットワーク装置により、前記アップリンクデータパケットを前記第１DRBで受信するステップ、又は、前記第１アクセスネットワーク装置により、前記アップリンクデータパケットを前記第２DRBで受信するステップ、を含む。
【００４１】
可能な実装では、前記第１アクセスネットワーク装置により、前記端末からアップリンクデータパケットを受信する前記ステップは、前記第１アクセスネットワーク装置により、前記第１DRBで、前記端末の、前記アップリンクデータパケットの中のシーケンス番号が割り当てられたPDCPレイヤデータパケットを受信するステップと、前記第１アクセスネットワーク装置により、前記第２DRBで、前記端末の、前記アップリンクデータパケットの中のシーケンス番号が割り当てられない前記PDCPレイヤデータパケット、及び／又は前記端末の前記アップリンクデータパケットの中の前記サービスデータアダプテーションプロトコルSDAPレイヤデータパケットを受信するステップと、を含む。
【００４２】
可能な実装では、前記第１アクセスネットワーク装置により、前記端末からアップリンクデータパケットを受信する前記ステップは、前記第１アクセスネットワーク装置により、前記端末の、前記アップリンクデータパケットの中のPDCPレイヤデータパケットを、前記第１DRBで受信するステップと、前記第１アクセスネットワーク装置により、前記端末の、前記アップリンクデータパケットの中の前記サービスデータアダプテーションプロトコルSDAPレイヤデータパケットを、前記第２DRBで受信するステップと、を含む。
【００４３】
本願の本実施形態で提供されるデータ送信方法によると、アップリンク方向で、第１アクセスネットワーク装置は、第２アクセスネットワーク装置から、フロー識別子を含む転送データパケットを受信する。転送データパケットは、第２アクセスネットワーク装置により端末から受信された順序の狂ったデータパケットを含む。転送データパケットの送信が完了した後に、端末は、アップリンクデータパケットをネットワーク側へ、種々の柔軟な送信方法で異なるDRBで送信してよく、データパケット送信方法は、以下の問題を回避するために実際のネットワーク状態に基づき選択できる：ハンドオーバ又はデュアルコネクティビティ又は別のシナリオで、各基地局がフローとDRBとの間のマッピング関係を独立して構成するために、データパケットが損失し又は繰り返し送信されること。これは、端末サービス継続性を向上し、通信品質を向上する。
【００４４】
第５の態様によると、本願の一実施形態はデータ送信方法であって、端末により、アップリンクデータパケットを第１アクセスネットワーク装置へ送信するステップであって、前記アップリンクデータパケットはフロー識別子を含む、ステップ、及び／又は、前記端末により、ダウンリンクデータパケットを前記アクセスネットワーク装置から受信するステップであって、前記ダウンリンクデータパケットのうちの少なくとも１つは、フロー識別子を含み、前記ダウンリンクデータパケットは、第２アクセスネットワーク装置により前記第１アクセスネットワーク装置へ送信された転送データパケットを含む、ステップ、を含む方法を提供する。
【００４５】
可能な実装では、端末により、アップリンクデータパケットをアクセスネットワーク装置へ送信する前記ステップは、前記端末により、前記第１アクセスネットワーク装置へ、第１DRBで、前記アップリンクデータパケットの中の、シーケンス番号を割り当てられたPDCPレイヤデータパケットを送信するステップと、前記端末により、前記第１アクセスネットワーク装置へ、第２DRBで、前記アップリンクデータパケットの中の、シーケンス番号が割り当てられないPDCPレイヤデータパケット、及び／又は前記アップリンクデータパケットの中のSDAPレイヤデータパケット、を送信するステップであって、前記第１DRBは前記第２アクセスネットワーク装置におけるフローとDRBとの間のマッピング関係に適合し、前記第２DRBは前記第１アクセスネットワーク装置におけるフローとDRBとの間のマッピング関係に適合する、ステップと、を含む。
【００４６】
可能な実装では、端末により、アップリンクデータパケットをアクセスネットワーク装置へ送信する前記ステップは、前記端末により、前記アップリンクデータパケットの中のPDCPレイヤデータパケットを、前記アクセスネットワーク装置へ前記第１DRBで送信するステップと、前記端末により、前記アップリンクデータパケットの中の前記SDAPレイヤデータパケットを、前記アクセスネットワーク装置へ第２DRBで送信するステップと、を含む。
【００４７】
可能な実装では、前記端末により、ダウンリンクデータパケットを前記アクセスネットワーク装置から受信する前記ステップは、前記端末により、前記第１アクセスネットワーク装置から前記第１DRBで、前記ダウンリンクデータパケットの中の、フロー識別子を含まないデータパケットを受信するステップと、前記端末により、前記第１アクセスネットワーク装置から前記第２DRBで、前記ダウンリンクデータパケットの中の、フロー識別子を含むデータパケットを受信するステップと、を含む。
【００４８】
可能な実装では、前記端末により、ダウンリンクデータパケットを前記アクセスネットワーク装置から受信する前記ステップは、前記端末により前記第１アクセスネットワーク装置から前記第１DRBで、前記ダウンリンクデータパケットの中の、シーケンス番号が割り当てられたPDCPレイヤデータパケットを受信するステップと、前記第１アクセスネットワーク装置から前記第２DRBで、前記ダウンリンクデータパケットの中の、フロー識別子を含み且つシーケンス番号が割り当てられないPDCPレイヤデータパケット、及び／又は前記ダウンリンクデータパケットの中の、前記SDAPレイヤデータパケットを受信するステップと、を含む。
【００４９】
第５の態様のいずれか１つの実装で、前記第１DRBは、前記第２アクセスネットワーク装置におけるフローとDRBとの間の前記マッピング関係に適合し、前記第２DRBは、前記第１アクセスネットワーク装置におけるフローとDRBとの間の前記マッピング関係に適合する。
【００５０】
第６の態様によると、本願の一実施形態は、アクセスネットワーク装置を提供する。アクセスネットワーク装置は、前述のデータ送信方法のいずれか１つにおける第１アクセスネットワーク装置の動作を実施する機能を有し、又は前述のデータ送信方法のいずれか１つにおける第２アクセスネットワーク装置の動作を実施する機能を有する。機能は、ハードウェアにより実装されてよく、又は対応するソフトウェアを実行することによりハードウェアにより実装されてよい。ハードウェア又はソフトウェアは、機能に対応する１つ以上のユニット又は手段（means）を含む。
【００５１】
第６の態様の可能な実装では、アクセスネットワーク装置の構造は、プロセッサ及び通信機を含む。プロセッサは、前述のデータ送信方法における対応する機能を実行する際にアクセスネットワーク装置をサポートするよう構成される。通信機は、アクセスネットワーク装置と端末との間の通信をサポートし、前述のデータ送信方法における情報又は命令を端末へ送信するよう構成される。アクセスネットワーク装置は、メモリを更に含んでよい。前記メモリは、前記プロセッサに結合されるよう構成され、前記メモリは、前記アクセスネットワーク装置の必要なプログラム命令及び必要なデータを格納する。アクセスネットワーク装置は、通信インタフェースを更に含んでよい。通信インタフェースは、別のネットワーク装置と通信するよう構成される。
【００５２】
可能な実装では、前記アクセスネットワーク装置は、基地局である。
【００５３】
第７の態様によると、本発明の一実施形態は、端末を提供する。端末は、前述のデータ送信方法のいずれか１つにおける端末の動作を実施する機能を有する。機能は、ハードウェアにより実装されてよく、又は対応するソフトウェアを実行することによりハードウェアにより実装されてよい。ハードウェア又はソフトウェアは、機能に対応する１つ以上のユニット又は手段（means）を含む。
【００５４】
第７の態様の可能な実装では、端末の構造は、プロセッサ及び通信機を含む。プロセッサは、前述のデータ送信方法における対応する機能を実行する際に端末をサポートするよう構成される。通信機は、アクセスネットワーク装置と端末との間の通信をサポートし、前述のデータ送信方法における情報又は命令をアクセスネットワーク装置へ送信するよう構成される。端末は、メモリを更に含んで良い。前記メモリは、前記プロセッサに結合されるよう構成され、前記メモリは、前記端末の必要なプログラム命令及び必要なデータを格納する。
【００５５】
第８の態様によると、本発明の一実施形態は、通信システムであって、前述の態様におけるアクセスネットワーク装置及び端末を含む、通信システムを提供する。
【００５６】
第９の態様によると、本願の一実施形態は、コンピュータ可読記憶媒体を提供する。コンピュータ可読記憶媒体は命令を格納する。コンピュータ可読記憶媒体がコンピュータ上で実行されると、該コンピュータは、前述の態様のいずれか１つにおけるデータ送信方法を実行する。
【００５７】
第１０の態様によると、本願の一実施形態は、命令を含むコンピュータプログラムプロダクトを提供する。コンピュータプログラムプロダクトがコンピュータ上で実行されると、該コンピュータは、前述の態様のいずれか１つにおけるデータ送信方法を実行する。
【００５８】
本願の実施形態で提供される技術的ソリューションによると、種々の柔軟な転送データパケット送信方法が、以下の問題を回避するために使用される。ハンドオーバ又はデュアルコネクティビティ又は別のシナリオで、各基地局がフローとDRBとの間のマッピング関係を独立して構成するために、データパケットが損失し又は繰り返し送信されること。これは、端末サービス継続性を向上し、通信品質を向上する。
【図面の簡単な説明】
【００５９】
本願の実施形態の技術的ソリューションをより明確に説明するために、以下は、実施形態を説明するのに必要な添付の図面を簡単に説明する。明らかなことに、以下の説明中の添付の図面は、本願のほんの幾つかの実施形態を示し、当業者は創造的労力を伴わずこれらの添付の図面から他の図面を更に導出し得る。
【００６０】
【図１】本願の一実施形態による通信システムの概略図である。
【００６１】
【図２】本願の一実施形態によるデータ送信方法の概略フローチャートである。
【００６２】
【図３】本願の一実施形態によるデータ送信方法の概略フローチャートである。
【００６３】
【図４】本願の一実施形態によるデータ送信方法の概略フローチャートである。
【００６４】
【図５】本願の一実施形態によるデータ送信方法の概略フローチャートである。
【００６５】
【図６】本願の一実施形態によるデータ送信方法の概略シグナリングフローチャートである。
【００６６】
【図７】本願の一実施形態によるアクセスネットワーク装置７００の概略構造図である。
【００６７】
【図８】本願の一実施形態によるアクセスネットワーク装置８００の概略構造図である。
【００６８】
【図９】本願の一実施形態によるアクセスネットワーク装置９００の概略構造図である。
【００６９】
【図１０】本願の一実施形態によるアクセスネットワーク装置１０００の概略構造図である。
【００７０】
【図１１】本願の一実施形態による端末１１００の概略構造図である。
【００７１】
【図１２】本願の一実施形態によるアクセスネットワーク装置１２００の概略構造図である。
【００７２】
【図１３】本願の一実施形態によるアクセスネットワーク装置１３００の概略構造図である。
【００７３】
【図１４】本願の一実施形態による端末１４００の概略構造図である。
【００７４】
【図１５】本願の一実施形態による通信システム１５００の概略図である。
【発明を実施するための形態】
【００７５】
本願の実施形態において記載される技術は、５G（the  fifth  generation、第５世代）通信システム、又は別の次世代通信システム、例えば新無線アクセスネットワーク（New  RAN,  NR）で使用されてよい。
【００７６】
本願の実施形態において記載されるアクセスネットワーク装置は、NRにおける基地局装置、例えばgNB、送信点（transmission  point,  TRP）、又は中央ユニット（central  unit,  CU)）と分散ユニット（distributed  unit,  DU）とを含む基地局装置を含む。CUは、制御ユニット（control  unit）とも呼ばれてよい。ロングタームエボリューション（long  term  evolution,  LTE）システムにおける基地局装置、つまり進化型NodeB（evolved  nodeB,  eNB）が５Gコアネットワーク（５G  Core  Network,  ５G  CN）に接続できるとき、LTE  eNBはeLTE  eNBとも呼ばれてよい。具体的に、eLTE  eNBは、LTE  eNBから進化したLTE基地局装置であり、５G  CNに直接接続できる。eLTE  eNBも、NRにおける基地局装置である。代替として、アクセスネットワーク装置は、アクセスポイント（access  point,  AP）、又は端末及びコアネットワークと通信可能な別のネットワーク装置であってよい。アクセスネットワーク装置の種類は、本発明の実施形態において具体的に限定されない。
【００７７】
本願の実施形態における５G  CNは、新コア（new  core）ネットワーク、５G新コアネットワーク、次世代コア（next  generation  core,  NGC）ネットワーク、等とも呼ばれてよい。５G  CNは、進化型パケットコア（evolved  packet  core,  EPC）ネットワークのような既存コアネットワークと独立に配置される。
【００７８】
本願の実施形態における端末は、ハンドヘルド装置、車内装置、ウェアラブル装置、又は無線通信機能を有するコンピューティング装置、無線モデムに接続された別の処理装置、又はユーザ機器（user  equipment,  UE）、移動局（mobile  station,  MS）、端末装置（terminal  equipment）、又は様々な形式の同様のものを含んでよい。
【００７９】
本願の実施形態では、アクセスネットワークから端末への単方向通信リンクは、ダウンリンクと定められ、ダウンリンクで送信されるデータはダウンリンクデータであり、ダウンリンクデータの送信方向はダウンリンク方向と呼ばれ、端末からアクセスネットワークへの単方向通信リンクはアップリンクであり、アップリンクで送信されるデータはアップリンクデータであり、アップリンクデータの送信方向はアップリンク方向と呼ばれる。
【００８０】
本願の実施形態において記載されるソースアクセスネットワーク装置は、端末が現在アクセスしている又はキャンプしているアクセスネットワーク装置であり、端末は、アクセスネットワーク装置から別のアクセスネットワーク装置へハンドオーバされる。相応して、本願の実施形態において記載されるターゲットアクセスネットワーク装置は、端末がハンドオーバされるべきアクセスネットワーク装置である。
【００８１】
本願明細書中の用語「及び／又は」は、関連するオブジェクト間の関連付け関係だけを説明し、３つの関係が存在し得ることを示すことが理解されるべきである。例えば、「A及び／又はB」は、以下の３つの場合を示してよい。Aのみが存在する、AとBの両方が存在する、並びに、Bのみが存在する。さらに、本願明細書中の記号「／」は、関連するオブジェクト間の「又は」の関係を示す。
【００８２】
本願の実施形態では、「複数の」は「２以上の」を表す。
【００８３】
本願の実施形態における「第１」及び「第２」のような記載は、単に、記載されるオブジェクト間を説明し及び区別するために使用され、本願の実施形態における順序を示すこと又は装置の数に対する特定の限定を示すことを意図しない。これらの記載は、本願の実施形態に対するいかなる限定も構成し得ない。
【００８４】
本願の実施形態では、「接続」は、装置間の通信を実施するための、直接接続又は間接接続のような種々の接続方法を意味する。これは、本願の実施形態において限定されない。
【００８５】
本願の実施形態では、「ネットワーク」及び「システム」は同じ概念を表し、通信システムは通信ネットワークである。
【００８６】
図１は、本願の一実施形態による通信システムの概略図である。
【００８７】
図１に示すように、通信システムは、コアネットワーク装置１１０、第１アクセスネットワーク装置１２０、第２アクセスネットワーク装置１３０、及び端末１４０を含む。第１アクセスネットワーク装置１２０及び第２アクセスネットワーク装置１３０は、コアネットワーク装置１１０と通信インタフェースを介して別個に通信する。例えば、通信インタフェースは図１に示すNGインタフェースである。第１アクセスネットワーク装置１２０と第２アクセスネットワーク装置１３０との間には、装置間で情報を交換するよう構成される通信インタフェース、例えば図１に示されるXnインタフェースがあってよい。
【００８８】
コアネットワーク装置１１０は５G  CNにおけるコアネットワーク装置であり、１つ以上の独立に配置され又は統合された機能エンティティを含むことが理解され得る。例えば、コアネットワーク装置１１０は、制御プレーン（control  plane,  CP）ネットワーク要素、及びユーザプレーンゲートウェイ（user  plane  gateway,  UPGW）のようなユーザプレーン（user  plane,  UP）ネットワーク要素を含んでよい。
【００８９】
任意で、第１アクセスネットワーク装置１２０又は第２アクセスネットワーク装置１３０はgNB又はeLTE  eNBである。これは、本願の本実施形態において限定されない。例えば、第１アクセスネットワーク装置１２０はgNBであり、第２アクセスネットワーク装置１３０はgNBである、又は、第１アクセスネットワーク装置１２０はeLTE  eNBであり、第２アクセスネットワーク装置１３０はeLTE  eNBである、又は、第１アクセスネットワーク装置１２０はgNBであり、第２アクセスネットワーク装置１３０はeLTE  eNBである、又は、第１アクセスネットワーク装置１２０はeLTE  eNBであり、第２アクセスネットワーク装置１３０はgNBである。
【００９０】
コアネットワーク装置１１０は、第１アクセスネットワーク装置１２０及び／又は第２アクセスネットワーク装置１３０と、プロトコルデータユニット（protocol  data  unit,  PDU）セッション（session）を介して別個に通信する。１つのPDUセッションは、複数のフローを含んでよい。異なるフローは、同じQoS要件又は異なるQoS要件を有してよい。コアネットワーク装置１１０は、フローのQoS要件を第１アクセスネットワーク装置１２０及び／又は第２アクセスネットワーク装置１３０に提供し、第１アクセスネットワーク装置１２０及び／又は第２アクセスネットワーク装置１３０はフローからDRBへのマッピングを達成する。相応して、１つのDRBに含まれるフローは、同じ又は同様のQoS要件を有する。具体的に、アクセスネットワーク装置は、アクセスネットワーク装置にアクセスする端末のセッション毎に、デフォルトDRB（default  DRB）を含む少なくとも１つのDRBを確立してよい。DRBは、アクセスネットワーク装置と端末との間に確立され、無線インタフェースデータを送信する。
【００９１】
本願の本実施形態では、特定QoS要件を有するフローは、QoS  flowと呼ばれてよく、１つのQoS  flowは少なくとも１つのデータパケットを含む。各QoS  flowは、１つ以上のサービス種類に対応する。QoS  flowは、以下の実施形態において簡単に「フロー」と呼ばれる。
【００９２】
可能なハンドオーバ（handover）シナリオでは、移動過程で、端末１４０は、アクセスネットワーク装置にハンドオーバを通じてアクセスして、最適通信サービスを取得する。例えば、端末１４０が、端末１４０により現在アクセスしている第１アクセスネットワーク装置１２０の信号カバレッジ領域から、第２アクセスネットワーク装置１３０の信号カバレッジ領域へ移動するとき、端末１４０は、ハンドオーバ手順を開始してよく、第１アクセスネットワーク装置１２０から第２アクセスネットワーク装置１３０へハンドオーバする。ハンドオーバ過程では、第１アクセスネットワーク装置１２０は、第２アクセスネットワーク装置１３０へ、第１アクセスネットワーク装置１２０が端末１４０へ送信するために準備したフローを送信してよい。第２アクセスネットワーク装置１３０は、第１アクセスネットワーク装置１２０が端末１４０へ送信するために準備したフローを、該フローのQoS要件を満たすDRBにマッピングし、次に該フローを端末へ該DRBで送信してよい。
【００９３】
可能なデュアルコネクティビティ（dual−connection,  DC）シナリオでは、端末１４０は、第１アクセスネットワーク装置１２０及び第２アクセスネットワーク装置１３０の両方にアクセスする。第１アクセスネットワーク装置１２０が幾つかのサービスを第２アクセスネットワーク装置１３０にオフロードすると決定すると、第１アクセスネットワーク装置１２０は、該サービスに対応するフローを第２アクセスネットワーク装置１３０へ送信してよい。第２アクセスネットワーク装置１３０は、フローを、該フローのQoS要件を満たすDRBにマッピングし、次に該フローを端末へ該DRBで送信してよい。異なる機能に基づき、端末に接続されたアクセスネットワーク装置は、端末に関連する制御プレーン機能及びユーザプレーン機能を備えるマスタアクセスネットワーク装置、及び端末とのユーザプレーンデータ送信を実行するよう構成され得る２次アクセスネットワーク装置、に分類されてよい。マスタアクセスネットワーク装置は、マスタアクセスネットワーク装置と２次アクセスネットワーク装置との間で移行されるべき端末のサービスを制御でき、サービスに対応するフローがアクセスネットワーク装置間で転送され無線インタフェースを介して送信されるとき、マスタアクセスネットワーク装置と２次アクセスネットワーク装置との間を区別する必要はない。したがって、第１アクセスネットワーク装置１２０及び第２アクセスネットワーク装置１３０をマスタアクセスネットワーク装置又は２次アクセスネットワーク装置に限定する必要がない。端末は、代替として、１つのマスタアクセスネットワーク装置及び複数の２次アクセスネットワーク装置にアクセスしてよいことが理解され得る。詳細は記載されない。
【００９４】
ハンドオーバ過程又はデュアルコネクティビティ過程で、第１アクセスネットワーク装置１２０は、端末１４０に関連するデータパケットを第２アクセスネットワーク装置１３０へ送信し、次に第２アクセスネットワーク装置１３０が該データパケットを端末１４０へ送信する。データパケットは１つ以上のフローに属する。データパケット送信処理は、データ転送（data  forwarding）と呼ばれてよく、又はデータ後方送信若しくはデータ送信と呼ばれてよい。
【００９５】
具体的に、トンネル（tunnel）が第１アクセスネットワーク装置１２０と第２アクセスネットワーク装置１３０との間に確立されてよく、データの転送される必要のあるデータパケットを送信する。端末は、DRBに基づき確立されてよく、又はSDAPエンティティ又はセッションに基づき確立されてよい。代替として、両方の種類のトンネルが確立されてよい。言い換えると、一方のトンネルはDRBに基づき確立され、他方のトンネルはSDAPエンティティ又はセッションに基づき確立される。DRBに基づき確立されたトンネルは、DRBに対応するPDCPレイヤデータパケットを送信するために使用されてよい。セッション又はSDAPに基づき確立されたトンネルは、SDAPレイヤでキャッシュされたデータパケットを送信するため、又はフロー識別子を伝達するPDCPレイヤデータパケットを送信するために、使用されてよい。SDAPレイヤは、NGCネットワークに接続されたアクセスネットワーク側のプロトコルスタック内のユーザプレーンPDCPレイヤの上に確立されたユーザプレーンプロトコルレイヤである。SDAPレイヤは、非アクセスストラタム（non−access  stratum,  NAS）からのフローを、アクセスストラタム（access  stratum,  AS）のDRBにマッピングするために使用されてよい。SDAPエンティティは、SDAPレイヤの機能を達成するために、SDAPレイヤにおいて確立されるインスタンスである。SDAPエンティティは、無線インタフェースプロトコルスタック内でフロー識別子を追加することを更に担う。フロー識別子は、アップリンクデータフロー又はダウンリンクデータフローを識別するために使用されるアップリンクフロー識別子又はダウンリンクフロー識別子を含む。アクセスネットワーク装置は、異なるフローを同じDRB又は異なるDRBに、各フローのフロー識別子及び各DRBのQoS要件に基づきマッピングし、言い換えるとフローとDRBとの間のマッピング関係を確立してよい。例えば、コアネットワークによりアクセスネットワーク装置へ送信されたフロー１が、機械型通信（machine  type  communication,  MTC）サービスに対応するフローであり、フロー２が、モバイルブロードバンド（mobile  broadband,  MBB）サービスに対応するフローである場合、アクセスネットワーク装置は異なるサービス種類をサポートすると考えられ、フロー１及びフロー２は、アクセスネットワーク装置の同じDRB、例えばデフォルトDRBにマッピングされてよく、又は２つのDRBにマッピングされてよい。
【００９６】
SDAPエンティティ又はSDAPレイヤは、別の名称、例えばパケットデータ関連付けプロトコル（packets  data  association  protocol,  PDAP）エンティティ又はレイヤと呼ばれてよいことが理解され得る。SDAPレイヤの前述の定義及び機能の記載に従う任意のプロトコルレイヤは、本願の本実施形態において記載されるSDAPレイヤの保護範囲に含まれる。
【００９７】
各アクセスネットワーク装置はフローとDRBとの間のマッピング関係を独立して設定するので、データを転送する必要のある前述のデータパケットが第２アクセスネットワーク装置１３０へ送信された後に、第２アクセスネットワーク装置１３０が、依然として第１アクセスネットワーク装置１２０により構成された、フローとDRBとの間のマッピング関係に基づきデータパケットを送信する場合、データパケットは損失し又は繰り返し送信されることがある。これは、端末サービス継続性に影響する。
【００９８】
したがって、本願の実施形態は、各アクセスネットワーク装置がフローとDRBとの間のマッピング関係を独立に設定するという仮定の下で、特にハンドオーバ又はデュアルコネクティビティシナリオにおいて、データをどのように転送するか、及びデータを転送する必要のあるデータパケットを、無線インタフェースを介してどのように送信するか、に関する以下の問題を解決するために、データ送信方法を提供する。
【００９９】
説明を容易にするために、「第１アクセスネットワーク装置」又は「第２アクセスネットワーク装置」は、以下の実施形態において同じ意味を有する。詳細は、以下に再び記載されない。例えば、ハンドオーバ過程では、本願の実施形態における第１アクセスネットワーク装置はターゲットアクセスネットワーク装置であってよく、第２アクセスネットワーク装置はソースアクセスネットワーク装置であってよい。デュアルコネクティビティシナリオでは、本願の実施形態における第２アクセスネットワーク装置は、幾つかのサービスを第１アクセスネットワーク装置にオフロード（offload）してよく、第１アクセスネットワーク装置はサービスを端末へ送信する。例えば、マスタセルグループベアラ（master  cell  group  bearer,  MCG  bearer）が使用されるとき、第２アクセスネットワーク装置はマスタ基地局であり、第１アクセスネットワーク装置は２次基地局である。或いは、２次セルグループベアラ（secondary  cell  group  bearer,  SCG  bearer）が使用されるとき、第２アクセスネットワーク装置は２次基地局であり、第１アクセスネットワーク装置はマスタ基地局である。
【０１００】
図２は、本願の一実施形態によるデータ送信方法の概略フローチャートである。
【０１０１】
本願において提供されるデータ送信方法は、ハンドオーバ処理又は端末のデュアルコネクティビティ処理のような、基地局間でデータを転送する処理を有する種々の通信シナリオに適用可能である。これは、本願の本実施形態において限定されない。
【０１０２】
方法は以下のステップを含む。
【０１０３】
Ｓ２０１。第１アクセスネットワーク装置は、転送データパケット（又は１個の転送データパケット）を第２アクセスネットワーク装置から受信する。
【０１０４】
転送データパケットは、第２アクセスネットワーク装置から第１アクセスネットワーク装置へ送信される、データを転送する必要のあるデータパケット、つまり、データ転送過程で、第２アクセスネットワーク装置により第１アクセスネットワーク装置へ送信されたデータパケットである。
【０１０５】
具体的に、ダウンリンク方向で、転送データパケットは、以下のデータパケット：第２アクセスネットワーク装置の、シーケンス番号（sequence  number,  SN）が割り当てられ且つ受信肯定応答が端末から取得されていないPDCPレイヤデータパケット；第２アクセスネットワーク装置の、シーケンス番号が割り当てられていないPDCPレイヤデータパケット；及び、第２アクセスネットワーク装置のSDAPレイヤデータパケット；のうちの少なくとも１種類を含む。
【０１０６】
PDCPレイヤデータパケットは、PDCP  PDU及びPDCP  SDUを含む。第２アクセスネットワーク装置がPDCP  PDUを第１アクセスネットワーク装置へ転送するとき、第２アクセスネットワーク装置は、復号又はプロトコルヘッダ除去のような処理をPDCP  PDUに対して実行してよく、シーケンス番号の保持されたPDCP  SDUを取得する。したがって、全てのPDCPレイヤデータパケットは、基地局間で、シーケンス番号の割り当てられたPDCP  SDU及びシーケンス番号の割り当てられないPDCP  SDUを含むPDCP  SDUの形式で転送される。本願の本実施形態では、PDCP  SDUのシーケンス番号は、PDCP  SNとして示されてよいPDCPレイヤシーケンス番号である。
【０１０７】
Ｓ２０２。第１アクセスネットワーク装置は、第１DRBに、転送データパケットの中の、フロー識別子を含む少なくとも１つのデータパケットをマッピングする。ここで、第１DRBは、第２アクセスネットワーク装置のDRBに対応する。
【０１０８】
第１アクセスネットワーク装置は、第１DRBに、転送データパケットの中の、フロー識別子を含む全てのデータパケット、又は転送データパケットの中の、フロー識別子を含む幾つかのデータパケットをマッピングしてよい。
【０１０９】
第１DRB及び第２アクセスネットワーク装置のDRBは、それぞれ、第１マッピング関係に適合し、第１マッピング関係は、第２アクセスネットワーク装置におけるフローとDRBとの間のマッピング関係である。具体的に、第１DRBは、第１アクセスネットワーク装置により確立され、第１アクセスネットワーク装置と端末との間でデータを送信するために使用される。第１アクセスネットワーク装置が第２アクセスネットワーク装置のDRBの１つ以上のフローに関する情報を受信すると、第１アクセスネットワーク装置は、反射DRB（reflect  DRB）を確立してよい。反射DRBは、第２アクセスネットワーク装置の特定DRBの送信状態を維持でき、第２アクセスネットワーク装置のDRBでデータパケットを送信し続ける。説明を容易にするために、反射DRBに対応する第２アクセスネットワーク装置のDRBは、「第３DRB」と呼ばれてよい。具体的に、反射DRBは、第３DRBと同じPDCP  SN状態及びハイパーフレーム番号（hyper  frame  number,  HFN）状態を有する。PDCP  SN状態及びHFN状態は、DRB上のPDCPデータパケットの送信状態及び受信状態を示してよい。反射DRBは、前述の「第１DRB」である。
【０１１０】
任意で、第１アクセスネットワーク装置は、第１マッピング関係を第２アクセスネットワーク装置から受信する。
【０１１１】
任意で、第１アクセスネットワーク装置は、第１DRBに、フロー識別子を含まない転送データパケットの中のデータパケットをマッピングする。
【０１１２】
第１アクセスネットワーク装置が転送データパケットの一部又は全部を第１DRBにマッピングした後に、第１アクセスネットワーク装置は、対応するデータパケットを端末へ第１DRBで送信し、例えば、第１DRBで、転送データパケットの中のフロー識別子を含む一部又は全部のデータパケット及び転送データパケットの中のフロー識別子を含まない全部のデータパケットを送信する。
【０１１３】
任意で、本願の一実装では、方法は、第１アクセスネットワーク装置により、第２DRBに、第２マッピング関係に基づき、転送データパケットの中の、第１DRBにマッピングされたデータパケット以外のフロー識別子を含む少なくとも１つのデータパケットをマッピングするステップを更に含む。ここで、第２マッピング関係は、第１アクセスネットワーク装置におけるフローとDRBとの間のマッピング関係である。
【０１１４】
第２マッピング関係は、第１アクセスネットワーク装置における各フローのフロー識別子とDRBとの間の対応を含んでよい。第１アクセスネットワーク装置は、フローとDRBとの間のマッピング関係をQoS要件に基づき構成し、マッピング関係に基づき第２DRBを確立してよい。このような、アクセスネットワーク装置により構成された、フローとDRBとの間のマッピング関係に基づき確立されたDRBは、新DRB（new  DRB）とも呼ばれてよい。QoS要件はQoSパラメータを含む。アクセスネットワーク装置間のハンドオーバが直接インタフェースを介して実行されるとき、QoSパラメータは、ソースアクセスネットワーク装置により構成され、ソースアクセスネットワーク装置によりターゲットアクセスネットワーク装置へ送信されてよい。アクセスネットワーク装置間のハンドオーバがコアネットワークを介して実行されるとき、QoSパラメータは、ソース基地局からコアネットワーク装置へ送信され、次にコアネットワーク装置からターゲットアクセスネットワーク装置へ送信されてよい。コアネットワーク装置はQoSパラメータを変更してよい。
【０１１５】
第１アクセスネットワーク装置は、第１DRB及び第２DRBで、転送データパケットの中の、フロー識別子を含むデータパケットを別個に送信し、例えば、端末へ第１DRBで、フロー識別子を含む幾つかのデータパケットを送信し、端末へ第２DRBで、フロー識別子を含む他のデータパケットを送信してよい。具体的に、第１アクセスネットワーク装置は、端末へ第１DRBで、転送データパケットの中の、フロー識別子を含み且つシーケンス番号の割り当てられたPDCPレイヤデータパケットを送信し、端末へ第２DRBで、転送データパケットの中の、フロー識別子を含み且つシーケンス番号の割り当てられないPDCPレイヤデータパケットを送信してよい。
【０１１６】
具体的に、第１アクセスネットワーク装置のSDAPエンティティは、異なるDRBへ、フロー識別子を含むデータパケットを別個にルーティング（route）してよい。
【０１１７】
第２DRBは第１DRBと同じ又は異なってよいことが理解され得る。第１マッピング関係が第２マッピング関係と同じ場合、第１DRBは第２DRBと同じである。具体的に、第１アクセスネットワーク装置のDRBは、先ず、反射DRBとして、受信した転送データパケットを送信するために使用され、次に、新DRBとして、コアネットワークから受信したデータパケットを送信するために使用されてよい。同じDRBが、時間次元において、反射DRBと新DRBとに分割される。言い換えると、フローとDRBとの間の異なるマッピング関係が、異なる時間に受信された異なるデータパケットに対して使用されてよい。第１マッピング関係が第２マッピング関係と異なる場合、第１DRB及び第２DRBは２つの別個に確立されたDRBであってよい。
【０１１８】
任意で、本願の一実装では、第２DRBの数が第１DRBの数より少なく、第１DRBが第２DRBと異なる場合、第１DRBでのデータパケット送信が完了した後に、第１アクセスネットワーク装置及び端末は、第１DRBを解放してよい。その結果、端末及び第１アクセスネットワーク装置のオーバヘッドが低減できる。具体的に、第１アクセスネットワーク装置は、端末に第１DRBを解放するよう通知してよい。端末は、第１アクセスネットワーク装置から、第１DRBを解放するよう端末に指示するための通知メッセージを受信し、第１DRBの構成を解放する。通知メッセージを受信した後に、端末は、第１DRBでのダウンリンクデータパケット送信が完了したことを肯定応答できる。通知メッセージは、第１DRBでのダウンリンクデータパケット送信が終了することを示すために使用されるエンドマーカ（end  marker）として考えられてよい。
【０１１９】
任意で、第１アクセスネットワーク装置は、第２マッピング関係を第２アクセスネットワーク装置へ送信してよく、第２アクセスネットワーク装置は第２マッピング関係を端末へ送信する。
【０１２０】
任意で、本願の一実装では、第１アクセスネットワーク装置は、第１アクセスネットワーク装置と第２アクセスネットワーク装置との間のトンネルを介して、転送データパケットを受信する。ダウンリンク方向で、第１アクセスネットワーク装置と第２アクセスネットワーク装置との間のトンネルは、異なる方法で確立されてよい。トンネル確立方法は、本願の本実施形態において具体的に限定されない。
【０１２１】
例えば、トンネルは、DRBに基づき確立されたトンネルである。DRBに基づき確立されたトンネルは、第２アクセス装置の第３DRBと第１アクセス装置の反射DRBとの間に確立されてよく、又は第３DRBと第１アクセス装置の新DRBとの間に確立されてよい。１つ以上のDRBに基づくトンネルは、第１アクセスネットワーク装置と第２アクセスネットワーク装置との間に確立されてよい。DRBに基づき確立されたトンネルは、PDCPレイヤデータパケットを送信するために使用されてよい。
【０１２２】
任意で、第１アクセスネットワーク装置は、第１DRBに、DRBに基づき確立されたトンネルを介して受信された、フロー識別子を含まないデータパケットをマッピングし、第２DRBに、DRBに基づき確立されたトンネルを介して受信された、フロー識別子を含むデータパケットをマッピングしてよい。
【０１２３】
別の例では、トンネルは、セッションに基づき確立されたトンネルである。セッションに基づき確立されたトンネルは、SDAPエンティティに基づき確立されたトンネルとも呼ばれてよく、トンネルは、同じセッションに対応する第１アクセス装置のSDAPエンティティと第２アクセスネットワーク装置のSDAPエンティティとの間に確立される。
【０１２４】
セッションに基づき確立されたトンネルは、セッションの中の全てのDRBで、転送データパケットの中の、フロー識別子を伝達しシーケンス番号の割り当てられないデータパケットを送信するために使用される。
【０１２５】
任意で、第１アクセスネットワーク装置は、第１DRBに、SDAPエンティティを介して、セッションに基づき確立されたトンネルから受信され且つシーケンス番号の割り当てられたPDCPレイヤデータパケットをルーティングし、及び、第２DRBに、シーケンス番号の割り当てられないPDCPレイヤデータパケット又はSDAPレイヤデータパケットをルーティングする。
【０１２６】
別の例では、トンネルは、DRBに基づき確立されたトンネル及びセッションに基づき確立されたトンネルを含む。
【０１２７】
任意で、DRBに基づき確立されたトンネルはPDCPレイヤデータパケットを送信するために使用され、セッションに基づき確立されたトンネルはSDAPレイヤデータパケットを送信するために使用される。
【０１２８】
任意で、DRBに基づき確立されたトンネルは、第２アクセスネットワーク装置のPDCPレイヤにキャッシュされた、シーケンス番号の割り当てられたデータパケットを送信するために使用される。セッションに基づき確立されたトンネルは、転送データパケットの中で、第２アクセスネットワーク装置のSDAPレイヤデータパケットを含む、フロー識別子を伝達するデータパケット、及び／又は、第２アクセスネットワーク装置のPDCPレイヤにキャッシュされた、フロー識別子を伝達しシーケンス番号を割り当てられないデータパケットを送信するために使用される。
【０１２９】
任意で、第１アクセスネットワーク装置は、第１DRBに、DRBに基づき確立されたトンネルを介して受信されたデータパケットをマッピングし、第２DRBに、セッションに基づき確立されたトンネルを介して受信されたデータパケットをマッピングしてよい。
【０１３０】
本願の本実施形態では、SDAPレイヤデータパケットはSDAPレイヤにキャッシュされたデータパケットを含み、PDCPレイヤデータパケットはPDCPレイヤにキャッシュされたデータパケットを含む。
【０１３１】
第１アクセスネットワーク装置はトンネル及びDRBを同時に確立してよいことが理解され得る。例えば、ハンドオーバシナリオでは、第２アクセスネットワーク装置により第１アクセスネットワーク装置へ送信されたハンドオーバ要求メッセージが、トンネルを確立するために必要な情報及びDRBを確立するために必要な情報を含む場合、第１アクセスネットワーク装置は、関連情報を受信した後に、対応する動作を実行できる。
【０１３２】
本願の本実施形態で提供されるデータ送信方法によると、第１アクセスネットワーク装置は、転送データパケットを第２アクセスネットワーク装置から受信し、第１アクセスネットワーク装置は、第１アクセスネットワーク装置により確立された第１DRBに、転送データパケットの中のフロー識別子を含む少なくとも１つのデータパケットをマッピングしてよい。第１DRBは、第２アクセスネットワーク装置のDRBに対応する。さらに、より良いネットワーク性能を得るために、第１アクセスネットワーク装置は第２DRBを確立する。第２DRBは、転送データパケットの中で、第１DRBにマッピングされたデータパケット以外の、フロー識別子を有するデータパケットを送信するために使用され、第２DRBは、第１アクセスネットワーク装置により構成されたフローとDRBとの間のマッピング関係に適合する。したがって、転送データパケットは、種々の柔軟な送信方法で異なるDRBで送信でき、データパケット送信方法は、以下の問題を回避するために実際のネットワーク状態に基づき選択できる。ハンドオーバ又はデュアルコネクティビティ又は別のシナリオで、各基地局がフローとDRBとの間のマッピング関係を独立して構成するために、データパケットが損失し又は繰り返し送信されること。これは、端末サービス継続性を向上し、通信品質を向上する。
【０１３３】
図３は、本願の一実施形態によるデータ送信方法の概略フローチャートである。
【０１３４】
図２に示す実施形態で提供されるデータ送信方法と同様に、本実施形態で提供されるデータ送信方法は、ハンドオーバ処理又は端末のデュアルコネクティビティ処理のような、基地局間でデータを転送する処理を有する種々のシナリオに適用可能である。詳細は記載されない。
【０１３５】
方法は以下のステップを含む。
【０１３６】
Ｓ３０１。第１アクセスネットワーク装置は、転送データパケット（又は１個の転送データパケット）を第２アクセスネットワーク装置から受信する。
【０１３７】
転送データパケットの詳細な説明については、図２に示す実施形態の関連する内容を参照する。詳細は、ここで再び記載されない。
【０１３８】
Ｓ３０２。第１アクセスネットワーク装置は、第１DRBに、転送データパケットの中の、フロー識別子を含まないデータパケットをマッピングする。ここで、第１DRBは、第２アクセスネットワーク装置のDRB（簡単に「第３DRB」と呼ばれる）に対応する。
【０１３９】
具体的に、第１DRB及び第３DRBは、それぞれ、第１マッピング関係に適合し、第１マッピング関係は、第２アクセスネットワーク装置におけるフローとDRBとの間のマッピング関係である。
【０１４０】
任意で、第１アクセスネットワーク装置は、第１マッピング関係を第２アクセスネットワーク装置から受信する。
【０１４１】
Ｓ３０３。第１アクセスネットワーク装置は、第２DRBに、第２マッピング関係に基づき、転送データパケットの中の、フロー識別子を含むデータパケットをマッピングする。ここで、第２マッピング関係は、第１アクセスネットワーク装置におけるフローとDRBとの間のマッピング関係である。
【０１４２】
第１DRBは反射DRBであり、第２DRBは新DRBである。関連する詳細な説明については、図２に示す実施形態の関連する内容を参照する。詳細は、ここで再び記載されない。第１DRB及び第２DRBは第１アクセスネットワーク装置により別個に確立され、第１アクセスネットワーク装置による第１DRBを確立するステップと第２DRBを確立するステップとの実行順序は存在しないことが理解され得る。
【０１４３】
第１マッピング関係及び第２マッピング関係の詳細な説明については、図２に示す実施形態の関連する内容を参照する。詳細は、ここで再び記載されない。
【０１４４】
任意で、第１アクセスネットワーク装置は、SDAPエンティティを介して第２DRBに、転送データパケットの中の、フロー識別子を含むデータパケットをルーティングする。
【０１４５】
ステップＳ３０２とステップＳ３０３との実行順序は存在しないことが理解され得る。例えば、Ｓ３０２はＳ３０３の前に実行されてよく、又はＳ３０３はＳ３０２の前に実行されてよく、又は２つのステップＳ３０２及びＳ３０３は同時に実行されてよい。これは、本願の本実施形態において具体的に限定されない。
【０１４６】
任意で、本願の一実装では、方法は、第１アクセスネットワーク装置により、端末へ、第１DRBで、転送データパケットの中の、フロー識別子を含まず且つシーケンス番号の割り当てられたデータパケットを送信するステップと、第１アクセスネットワーク装置により、端末へ、第２DRBで、転送データパケットの中の、フロー識別子を含み且つシーケンス番号の割り当てられないデータパケットを送信するステップと、を更に含む。データパケットは、PDCPレイヤデータパケットであってよく、シーケンス番号はPDCP  SNである。
【０１４７】
任意で、本願の一実装では、方法は、第１アクセスネットワーク装置により、端末へ、第１DRBで、転送データパケットの中の、フロー識別子を含まないデータパケットを送信するステップと、第１アクセスネットワーク装置により、端末へ、第２DRBで、転送データパケットの中の、フロー識別子を含むデータパケットを送信するステップと、を更に含む。
【０１４８】
任意で、本願の一実装では、第２DRBの数が第１DRBの数より少なく、第１DRBが第２DRBと異なる場合、第１DRBでのデータパケット送信が完了した後に、第１アクセスネットワーク装置及び端末は、第１DRBを別個に解放してよい。その結果、端末及び第１アクセスネットワーク装置のオーバヘッドが低減できる。関連する詳細な説明については、図２に示す実施形態の関連する内容を参照する。詳細は、ここで再び記載されない。
【０１４９】
任意で、第１アクセスネットワーク装置は、第２マッピング関係を第２アクセスネットワーク装置へ送信してよく、第２アクセスネットワーク装置は第２マッピング関係を端末へ送信する。
【０１５０】
任意で、本願の一実装では、第１アクセスネットワーク装置は、第１アクセスネットワーク装置と第２アクセスネットワーク装置との間のトンネルを介して、転送データパケットを受信する。ダウンリンク方向で、第１アクセスネットワーク装置と第２アクセスネットワーク装置との間のトンネルは、異なる方法で確立されてよい。
【０１５１】
例えば、第１アクセスネットワーク装置は、転送データパケットを第２アクセスネットワーク装置から、DRBに基づき確立されたトンネル及びセッションに基づき確立されたトンネルを介して受信する。
【０１５２】
任意で、DRBに基づき確立されたトンネルは、第２アクセスネットワーク装置のPDCPレイヤにキャッシュされた、シーケンス番号の割り当てられたデータパケットを送信するために使用される。セッションに基づき確立されたトンネルは、転送データパケットの中で、第２アクセスネットワーク装置のSDAPレイヤデータパケットを含む、フロー識別子を伝達するデータパケット、及び／又は、第２アクセスネットワーク装置のPDCPレイヤにキャッシュされた、フロー識別子を伝達しシーケンス番号を割り当てられないデータパケットを送信するために使用される。
【０１５３】
別の例では、第１アクセスネットワーク装置は、転送データパケットを第２アクセスネットワーク装置から、DRBに基づき確立されたトンネルを介して受信する。
【０１５４】
別の例では、第１アクセスネットワーク装置は、第２アクセスネットワーク装置から、セッションに基づき確立されたトンネルを介して、転送データパケットの中の、フロー識別子を含むデータパケットを受信する。
【０１５５】
任意で、第１アクセスネットワーク装置は、第１DRBに、SDAPエンティティを介して、セッションに基づき確立されたトンネルから受信され且つシーケンス番号の割り当てられたPDCPレイヤデータパケットをルーティングし、及び、第２DRBに、シーケンス番号の割り当てられないPDCPレイヤデータパケット又はSDAPレイヤデータパケットをルーティングする。
【０１５６】
上述の種々のトンネルの詳細な説明については、図２に示す実施形態の関連する内容を参照する。詳細は、ここで再び記載されない。
【０１５７】
任意で、第１DRBにマッピングされた転送データパケットの送信が完了した後に、第１アクセスネットワーク装置は、第１DRBを解放してよく、リソースを節約する。第１DRBの解放の詳細な説明については、図２に示す実施形態の関連する内容を参照する。詳細は、ここで再び記載されない。
【０１５８】
本願の本実施形態で提供されるデータ送信方法によると、各アクセスネットワーク装置がフローとDRBとの間のマッピング関係を独立して設定できるという前提の下、フロー識別子を有するデータパケットが送信のために第２DRBにマッピングされ、フロー識別子を有しないデータパケットが送信のために第１DRBにマッピングされる。したがって、データパケット送信方法は、以下の問題を回避するために、実際のネットワーク状態に基づき選択できる：ハンドオーバ又はデュアルコネクティビティ又は別のシナリオで、各アクセスネットワーク装置がフローとDRBとの間のマッピング関係を独立して構成するために、データパケットが損失し又は繰り返し送信されること。これは、端末サービス継続性を向上し、通信品質を向上する。
【０１５９】
図４は、本願の一実施形態によるデータ送信方法の概略フローチャートである。
【０１６０】
本実施形態において提供されるデータ送信方法は、ハンドオーバ処理又は端末のデュアルコネクティビティ処理のような、基地局間でデータを転送する処理を有する種々のシナリオに適用可能である。詳細は記載されない。
【０１６１】
方法は以下のステップを含む。
【０１６２】
Ｓ４０１。第１アクセスネットワーク装置は、第２アクセスネットワーク装置から転送データパケット（又は複数の転送データパケット）を受信する。ここで、転送データパケットはフロー識別子を含み、転送データパケットは、第２アクセスネットワーク装置により端末から受信された順序の狂ったデータパケットを含む。
【０１６３】
具体的に、アップリンク方向では、転送データパケットは、第２アクセスネットワーク装置により端末から受信された順序の狂ったPDCPレイヤデータパケットである。例えば、第２アクセスネットワーク装置により順番に受信された最後のPDCP  SDUのシーケンス番号がSNである場合、言い換えると、シーケンス番号（…,  SN−１,  SN）がSNより小さいPDCP  SDUが順番に受信された場合、第２アクセスネットワーク装置により受信された、シーケンス番号がSNより大きい、順序の狂ったPDCP  SDUは、データ転送の必要なデータパケットである。例えば、データ転送は、シーケンス番号がSNであるPDCP  SDUを受信した後に、シーケンス番号がSN+３、SN+４、及びSN+６である、第２アクセスネットワーク装置により受信されたPDCP  SDUについて要求される。
【０１６４】
Ｓ４０２。第１アクセスネットワーク装置は、受信した転送データパケット（又複数の転送データパケット）をコアネットワーク装置へ送信する。
【０１６５】
任意で、第１アクセスネットワーク装置は、第１アクセスネットワーク装置と第２アクセスネットワーク装置との間のトンネルを介して、転送データパケットを受信する。トンネルは、第１アクセスネットワーク装置と第２アクセスネットワーク装置との間にDRBに基づき確立されるトンネルであってよい。トンネルについては、本願の別の実施形態における、DRBに基づき確立されるトンネルの関連する記載を参照する。詳細は、再び記載されない。
【０１６６】
任意で、本願の一実装では、方法は、第１アクセスネットワーク装置により、端末からアップリンクデータパケットを受信するステップを更に含む。ここで、アップリンクデータパケットは、以下のデータパケット：端末により第２アクセスネットワーク装置への送信に失敗し且つシーケンス番号の割り当てられたPDCPレイヤデータパケット；端末の、シーケンス番号の割り当てられないPDCPレイヤデータパケット；及び、端末の、SDAPレイヤデータパケット；のうちの少なくとも１種類を含む。
【０１６７】
任意で、端末が第１DRBでのアップリンクデータパケット送信を完了した後に、端末は、第１アクセスネットワーク装置に、第１DRBを解放するよう要求してよい。第１アクセスネットワーク装置は、端末により送信された、第１DRBを解放するための要求が、エンドマーカであることを考慮してよく、該要求は、第１DRB上のアップリンクデータパケット送信が終了することを示すために使用される。
【０１６８】
第１アクセスネットワーク装置にアクセスした後に、端末は、アップリンクデータパケットを第１アクセスネットワーク装置へ、異なる送信方法で送信してよい。
【０１６９】
任意で、第１アクセスネットワーク装置は、アップリンクデータパケットを第１DRBで受信する。
【０１７０】
任意で、第１アクセスネットワーク装置は、アップリンクデータパケットを第２DRBで受信する。
【０１７１】
任意で、第１アクセスネットワーク装置は、第１DRBで、端末の、アップリンクデータパケットの中の、シーケンス番号の割り当てられたPDCPレイヤデータパケットを受信し、第１アクセスネットワーク装置は、第２DRBで、端末の、アップリンクデータパケットの中の、シーケンス番号の割り当てられないPDCPレイヤデータパケット、及び／又はアップリンクデータパケットの中の、端末のSDAPレイヤデータパケットを受信する。
【０１７２】
任意で、第１アクセスネットワーク装置は、第１DRBで、アップリンクデータパケットの中の、端末のPDCPレイヤデータパケットを受信し、第１アクセスネットワーク装置は、第２DRBで、アップリンクデータパケットの中の、端末のSDAPレイヤデータパケットを受信する。
【０１７３】
第１DRBは反射DRBであり、第２DRBは新DRBである。関連する詳細な説明については、本願の別の実施形態における関連する内容を参照する。詳細は、ここで再び記載されない。
【０１７４】
本願の本実施形態で提供されるデータ送信方法によると、アップリンク方向で、第１アクセスネットワーク装置は、第２アクセスネットワーク装置から、フロー識別子を含む転送データパケットを受信する。転送データパケットは、第２アクセスネットワーク装置により端末から受信された順序の狂ったデータパケットを含む。転送データパケットの送信が完了した後に、端末は、アップリンクデータパケットをネットワーク側へ、種々の柔軟な送信方法で異なるDRBで送信してよく、データパケット送信方法は、以下の問題を回避するために実際のネットワーク状態に基づき選択できる：ハンドオーバ又はデュアルコネクティビティ又は別のシナリオで、各基地局がフローとDRBとの間のマッピング関係を独立して構成するために、データパケットが損失し又は繰り返し送信されること。これは、端末サービス継続性を向上し、通信品質を向上する。
【０１７５】
図５は、本願の一実施形態によるデータ送信方法の概略フローチャートである。
【０１７６】
図２に示す実施形態で提供されるデータ送信方法と同様に、本実施形態で提供されるデータ送信方法は、ハンドオーバ処理又は端末のデュアルコネクティビティ処理のような、基地局間でデータを転送する処理を有する種々のシナリオに適用可能である。詳細は記載されない。
【０１７７】
方法は以下のステップを含む。
【０１７８】
Ｓ５０１。第２アクセスネットワーク装置は、フロー識別子を含む転送用データパケット（又はフロー識別子を含む複数の転送用データパケット）を生成する。
【０１７９】
Ｓ５０２。第２アクセスネットワーク装置は、第１アクセスネットワーク装置へ、フロー識別子を含む転送用データパケット（又はフロー識別子を含む複数の転送用データパケット）を送信する。
【０１８０】
任意で、ダウンリンク方向で、転送用データパケットは、以下のデータパケット：第２アクセスネットワーク装置の、シーケンス番号が割り当てられ且つ受信肯定応答が端末から取得されていないPDCPレイヤデータパケット；第２アクセスネットワーク装置の、シーケンス番号が割り当てられていないPDCPレイヤデータパケット；及び、第２アクセスネットワーク装置のサービスデータアダプテーションプロトコルSDAPレイヤデータパケット；のうちの少なくとも１種類を含む。
【０１８１】
任意で、ダウンリンク方向で、第２アクセスネットワーク装置は、第１アクセスネットワーク装置へ、フロー識別子を含まない転送用データパケット（又はフロー識別子を含まない複数の転送用データパケット）を更に送信する。
【０１８２】
任意で、ダウンリンク方向で、第２アクセスネットワーク装置は、転送用データパケットを、第１アクセスネットワーク装置へ、異なる種類のトンネルを介して送信してよい。種々のトンネル及び種々のトンネルにおける転送用データパケットの送信の詳細な説明については、本願の別の実施形態における関連する内容を参照する。詳細は、ここで再び記載されない。
【０１８３】
ダウンリンク方向では、第１アクセスネットワーク装置は、端末へ、転送データパケットを含むダウンリンクデータパケットを送信してよいことが理解され得る。具体的に、第２アクセスネットワーク装置が転送用データパケットを第１アクセスネットワーク装置へ送信した後に、第１アクセスネットワーク装置は、転送データパケットを送信するために、転送データパケットを対応するDRBに、転送データパケットのコンテンツ（例えば、転送データパケットがフロー識別子を有するか否か、又はシーケンス番号が転送データパケットに割り当てられているか否か）のような因子、又は転送データパケットを伝達するトンネルの種類に基づきマッピングしてよい。転送データパケットの対応するDRBへのマッピングの詳細な説明については、本願の別の実施形態における関連する内容を参照する。詳細は、ここで再び記載されない。次に、第１アクセスネットワーク装置は、端末へ、コアネットワークから取得した別のダウンリンクデータパケットを送信する。
【０１８４】
任意で、本願の一実装では、ダウンリンク方向で、第２アクセスネットワーク装置のPDCPエンティティは、フロー識別子を取得する。その結果、第２アクセスネットワーク装置は、フロー識別子を転送用データパケットに追加し、フロー識別子を含む転送用データパケットを生成し、次に、第１アクセスネットワーク装置は、転送データパケットをパースしてフロー識別子を取得する。
【０１８５】
任意で、第２アクセスネットワーク装置は、データパケットのフロー識別子を、サービスアクセスノード（service  access  point,  SAP）とフロー識別子との間の対応に基づき取得する。具体的に、第２アクセスネットワーク装置は、SDAPエンティティとPDCPエンティティとの間に１つ以上のSAPを確立する。PDCPエンティティは、PDCP  PDU又はPDCP  SDUを、SAPとフロー識別子とに基づき別個にキャッシュする。各SAPは、１つのフローに対応している。データを転送するとき、第２アクセスネットワーク装置は、PDCP  PDU又はPDCP  SDUをSDAPエンティティへSAPに基づき送信してよく、次に、SDAPエンティティは、PDCPレイヤデータパケットのフロー識別子を、SAPとフローとの間の対応に基づき取得してよい。代替として、PDCPエンティティは、フロー識別子をSAP情報に基づき取得してよい。転送データパケットは、PDCP  PDU及びPDCP  SDUを含み、シーケンス番号を伝達するPDCP  SDUは、プロトコルヘッダ除去又は復号のような処理がPDCP  PDUに対して実行された後に生成される。
【０１８６】
任意で、第２アクセスネットワーク装置は、データパケットのフロー識別子を、データパケットのキャッシュ位置に基づき取得する。具体的に、第２アクセスネットワーク装置のSDAPエンティティは、データパケットのフロー識別子をPDCPエンティティへ送信し、PDCPエンティティは、データパケットのフロー識別子とキャッシュ位置との間の対応を確立する。例えば、PDCPエンティティは、受信したPDCP  SDUをフロー識別子に基づきキャッシュしてよい。次に、第２アクセスネットワーク装置は、転送データパケットのキャッシュ位置を取得する。転送データパケットのキャッシュ位置は、転送データパケットのフロー識別子に対応する。第２アクセスネットワーク装置は、データパケットのフロー識別子を、データパケットのキャッシュ位置に基づき取得する。任意で、第２アクセスネットワーク装置のSDAPレイヤは、指示情報を更に含む。指示情報は、PDCPレイヤがフロー識別子をPDCP  PDUに追加し、無線インタフェースを介してフロー識別子を含むPDCP  PDUを送信するか否かを指示するために使用される。例えば、指示情報が、フロー識別子は追加されていないと示す場合、PDCP  PDUは、フロー識別子をSDAPヘッダから除去することにより生成される。PDCP  PDUはフロー識別子を含まないので、データオーバヘッドが削減される。
【０１８７】
任意で、ハンドオーバ準備処理で、第２アクセスネットワーク装置のSDAPエンティティは、フロー識別子を受信したデータパケットに追加し、フロー識別子がハンドオーバ処理のためにのみ使用されることを示してよい。したがって、第１アクセスネットワーク装置は、フロー識別子を、受信した転送データパケットに基づき復元してよい。
【０１８８】
任意で、ハンドオーバ準備処理で、第２アクセスネットワーク装置のSDAPエンティティは、フロー識別子を受信したデータパケットに追加してよい。例えば、第２アクセスネットワーク装置が送信状態を凍結すると、SDAPエンティティは、フロー識別子を、PDCPレイヤへ送信されるべき全てのデータパケットに追加し始める。送信状態の凍結は、第２アクセスネットワーク装置がもはやデータを端末へ送信しないことを意味する。したがって、第１アクセスネットワーク装置は、フロー識別子を、受信した転送データパケットに基づき復元してよい。
【０１８９】
任意で、第２アクセスネットワーク装置は、フロー識別子を、転送データパケットに含まれるシーケンス番号に基づき決定する。具体的に、第２アクセスネットワーク装置のSDAPエンティティは、データパケットをキャッシュし、キャッシュしたデータパケットのSDAPシーケンス番号を構成し、PDCPエンティティへ、SDAPシーケンス番号の構成されたデータパケットを送信する。PDCPエンティティが第１アクセスネットワーク装置へ、PDCP  SNを含むデータパケットの送信に成功した場合、PDCPエンティティは、指示をSDAPレイヤへ送信する。指示を受信した後に、SDAPレイヤは、PDCP  SNを含むデータパケットに対応するデータパケットを検出する。SDAPレイヤでキャッシュされたデータパケットはフロー識別子を含み、SDAPエンティティによりPDCPエンティティへ送信されたデータパケットはSDAPシーケンス番号を含み、SDAPシーケンス番号はフロー識別子に対応している。したがって、第２アクセスネットワーク装置のSDAPエンティティは、データパケットのフロー識別子を、PDCPレイヤから受信したデータパケットのSDAPシーケンス番号に基づく照合を通じて取得する。
【０１９０】
任意で、アップリンク方向では、転送データパケットは、第２アクセスネットワーク装置により端末から受信された順序の狂ったデータパケットを含む。アップリンク方向の全ての転送データパケットはフロー識別子を含む。第２アクセスネットワーク装置は、アップリンク方向の転送データパケットを第１アクセスネットワーク装置へ、DRBに基づき確立されたトンネルを介して送信してよい。詳細は記載されない。
【０１９１】
アップリンク方向では、第２アクセスネットワーク装置が転送データパケットを第１アクセスネットワーク装置へ送信した後に、第１アクセスネットワーク装置は、転送データパケットをコアネットワークへ送信してよいことが理解され得る。第１アクセスネットワーク装置にアクセスした後に、端末は、アップリンクデータパケットを第１アクセスネットワーク装置へ、異なるDRBで送信してよい。端末によるアップリンクデータパケットの第１アクセスネットワーク装置への送信の詳細な説明については、本願の別の実施形態における関連する内容を参照する。詳細は、ここで再び記載されない。
【０１９２】
図６は、本願の一実施形態によるデータ送信方法の概略シグナリングフローチャートである。
【０１９３】
図６に示す実施形態では、端末がソース基地局からターゲット基地局へハンドオーバされる一例が、本願の本実施形態で提供されるデータ送信方法を説明するために使用される。図６に示す実施形態は、図２〜図５に示す実施形態の更なる解釈及び説明である。ソース基地局は、図２〜図５に示す実施形態における第２アクセスネットワーク装置の一例である。ターゲット基地局は、図２〜図５に示す実施形態における第１アクセスネットワーク装置の一例である。本願で提供される実施形態の間で相互参照が行われてよい。
【０１９４】
方法は以下のステップを含む。
【０１９５】
Ｓ６０１。端末は、測定レポートをソース基地局へ送信する。
【０１９６】
Ｓ６０２。ソース基地局は、受信した測定レポートに基づき、ハンドオーバ手順をトリガすることを決定する。
【０１９７】
Ｓ６０３。ソース基地局は、第１マッピング関係をターゲット基地局へ送信する。
【０１９８】
第１マッピング関係は、ソース基地局により構成された、フローとDRBとの間のマッピング関係である。第１マッピング関係の詳細な説明については、本願の別の実施形態における関連する内容を参照する。詳細は、ここで再び記載されない。
【０１９９】
任意で、第１マッピング関係は、ハンドオーバ処理の中でソース基地局によりターゲット基地局へ送信されるシグナリング又はメッセージ、例えばハンドオーバ要求メッセージに含まれる。これは、本願の本実施形態において限定されない。
【０２００】
任意で、ターゲット基地局がハンドオーバ要求メッセージをソース基地局から受信した後に、ターゲット基地局は、ターゲット基地局と端末との間にDRBを確立してよい。該DRBは、ソース基地局のDRBの送信状態を維持する反射DRB（つまり、図２又は図３に示す実施形態における第１DRB）を含む。反射DRBに加えて、ターゲット基地局は、新ベアラ（つまり、図２又は図３に示す実施形態における第２DRB）を、ターゲット基地局により構成された、フローとDRBとの間のマッピング関係に基づき更に確立してよい。反射DRB及び新DRBの詳細な説明については、本願の別の実施形態における関連する内容を参照する。詳細は、ここで再び記載されない。
【０２０１】
Ｓ６０４。ターゲット基地局は、第２マッピング関係をソース基地局へ送信する。
【０２０２】
第２マッピング関係は、ハンドオーバ処理の中でターゲット基地局によりソース基地局へ送信されるシグナリング又はメッセージ、例えばハンドオーバ要求応答メッセージに含まれてよい。これは、本願の本実施形態において限定されない。
【０２０３】
第２マッピング関係は、ターゲット基地局により構成された、フローとDRBとの間のマッピング関係である。第２マッピング関係の詳細な説明については、本願の別の実施形態における関連する内容を参照する。詳細は、ここで記載されない。
【０２０４】
Ｓ６０５。ソース基地局は、ハンドオーバコマンドを端末へ送信する。
【０２０５】
ハンドオーバコマンドは、第２マッピング関係を含んでよい。その結果、端末は第２マッピング関係を取得してよい。
【０２０６】
第２マッピング関係は、第１マッピング関係と同じ又は異なってよい。具体的に、各アクセスネットワーク装置は、DRBとフローとの間のマッピング関係を、フローのQoS要件に基づき独立して構成するので、ターゲット基地局により構成される、DRBとフローとの間のマッピング関係は、ソース基地局により構成される、DRBとフローとの間のマッピング関係と同じ又は異なってよい。
【０２０７】
任意で、応答メッセージ及びハンドオーバコマンドは、第３マッピング関係を更に含む。第３マッピング関係は、ターゲット基地局により構成された反射DRBとターゲット基地局により構成されたDRBとの間の対応である。
【０２０８】
Ｓ６０６。ソース基地局は、PDCPレイヤの無線インタフェース送信状態をターゲット基地局へ送信する。
【０２０９】
PDCPレイヤの無線インタフェース送信状態は、ソース基地局のDRB上のPDCPレイヤデータパケットの送信状態及び受信状態を意味する。アップリンクデータパケットの送信状態は、最初の損失PDCP  SDUのシーケンス番号、最初の損失PDCP  SDUと最後の受信PDCP  SDUとの間のPDCP  SDUの受信状態、を含む。受信状態は、具体的に、データパケットが受信されたか否かを意味する。ダウンリンクデータパケットの送信状態は、ターゲット基地局がシーケンス番号を割り当てる必要のある次のPDCP  SDUのシーケンス番号を含み、シーケンス番号はPDCP  SN及びHFNを含む。
【０２１０】
Ｓ６０７。ソース基地局は、転送用データパケット（又は１つの転送用データパケット）をターゲット基地局へ送信する。
【０２１１】
転送用データパケットは、アップリンク方向の転送用データパケット及び／又はダウンリンク方向の転送用データパケットを含む。転送データパケットの詳細な説明については、図２〜図４に示す実施形態の関連する内容を参照する。詳細は、ここで再び記載されない。
【０２１２】
具体的に、ソース基地局は、転送用データパケットをターゲット基地局へ、ソース基地局とターゲット基地局との間のトンネルを介して送信してよい。種々のトンネル及び特定のトンネルの確立方法については、図２〜図５に示す実施形態の関連する内容を参照する。詳細は、ここで再び記載されない。
【０２１３】
本実施形態では、ソース基地局のPDCPエンティティは、データパケットのフロー識別子を取得する。その結果、ソース基地局は、フロー識別子を転送用データパケットに追加してよい。次に、ターゲット基地局は、転送データパケットを対応するDRBへフロー識別子に基づきマッピングしてよい。ソース基地局による、フロー識別子を含むデータパケットの生成の詳細な説明については、図５に示す実施形態の関連する内容を参照する。詳細は、ここで再び記載されない。
【０２１４】
Ｓ６０８。端末は、ターゲット基地局にアクセスする。
【０２１５】
Ｓ６０９。ターゲット基地局は経路切り替えを実行する。
【０２１６】
任意的に、方法は、ターゲット基地局により、端末に関連する後続データパケットをターゲット基地局へ送信するようユーザプレーンネットワーク要素に通知するよう、コアネットワークの制御プレーン管理ネットワーク要素に通知するステップ、を更に含む。
【０２１７】
任意で、本願の一実装では、端末がターゲット基地局にハンドオーバされた後に、方法は以下のステップを更に含む：Ｓ６１０。端末は、ターゲット基地局とのデータ通信を実行する。
【０２１８】
データ通信は、アップリンクデータ送信及び／又はダウンリンクデータ送信を含む。
【０２１９】
具体的に、アップリンクデータ送信処理又はダウンリンクデータ送信処理では、異なる種類のトンネルを介して受信された転送データパケットは異なる方法で送信される。これは、本願の本実施形態において具体的に限定されない。さらに、ダウンリンクデータ送信処理で、ターゲット基地局は、端末へ、ダウンリンク方向の転送データパケット、及びコアネットワークから受信した別のダウンリンクデータパケットを送信してよい。アップリンクデータ送信処理で、ターゲット基地局は、コアネットワークへ、アップリンク方向の転送データパケット、及び端末から受信した別のアップリンクデータパケットを送信してよい。転送データパケットの送信は、端末から受信した別のアップリンクデータパケット又はコアネットワークから受信した別のダウンリンクデータパケットの送信より先行する。任意で、アップリンクデータパケット及びダウンリンクデータパケットは同じDRBで伝達されてよい。言い換えると、双方向DRBはアップリンクサービス及びダウンリンクサービスを提供する。代替として、アップリンクデータパケット及びダウンリンクデータパケットは異なるDRBで伝達されてよい。
【０２２０】
ダウンリンク方向では、ターゲット基地局は、端末へ第１DRB又は第２DRBで、転送データパケットを含むダウンリンクデータパケットを送信してよい。
【０２２１】
例えば、転送用データパケットがターゲット基地局へDRBに基づく１つのトンネル及びセッションに基づき確立された１つのトンネルを介して送信されるとき、ターゲット基地局がデータパケットを端末へ送信する特定の方法は、以下を含んでよい。
【０２２２】
第２マッピング関係が第１マッピング関係と同じである場合、ターゲット基地局は、転送データパケットを端末へ第１DRBで送信し、次に、転送データパケットの送信を完了した後に、依然として第１DRBで、コアネットワークからSDAPレイヤを介して受信された別のダウンリンクデータパケットを送信してよい。
【０２２３】
第２マッピング関係が第１マッピング関係と異なる場合、ターゲット基地局は、端末へ第１DRBで、DRBに基づき確立されたトンネルを介してターゲット基地局により受信されたデータパケットを送信し、及び、端末へ第２DRBで、セッションに基づき確立されたトンネルを介してターゲット基地局により受信されたデータパケットを送信してよい。
【０２２４】
任意で、ターゲット基地局は、端末へ第２DRBで、転送データパケットの中の、フロー識別子を含むデータパケットを送信する。ターゲット基地局は、端末へ第１DRBで、転送データパケットの中の、フロー識別子を含まないデータパケットを送信する。
【０２２５】
任意で、ターゲット基地局は、端末へ第１DRBで、転送データパケットの中の、シーケンス番号の割り当てられたPDCP  SDUを送信してよく、ターゲット基地局は、端末へ第２DRBで、フロー識別子を含み且つシーケンス番号の割り当てられないPDCP  SDUを送信する。ターゲット基地局は、ソース基地局のSDAPレイヤデータパケットを、端末へ第２DRBで更に送信してよい。第１DRBはフロー識別子を有するデータパケット又はフロー識別子を有しないデータパケットを送信するために使用されてよいことが理解され得る。したがって、シーケンス番号を有するPDCP  SDUは、PDCP  SDUがフロー識別子を含むか否かに拘わらず、第１DRBで送信できる。
【０２２６】
任意で、ソース基地局は、PDCPレイヤにキャッシュされ且つシーケンス番号の割り当てられていないPDCP  SDUにシーケンス番号を割り当て、ターゲット基地局へ、転送用データパケットのうちの幾つかとして、DRBに基づき確立されたトンネルを介して、シーケンス番号の割り当てられたPDCP  SDUを送信してよい。次に、後の通信処理において、ターゲット基地局は、第１DRBで、PDCP  SDUにシーケンス番号を割り当てることなく、シーケンス番号の割り当てられたPDCP  SDUを直接送信してよい。これは、手順を簡略化し、送信効率を向上する。
【０２２７】
別の例では、転送用データパケットがターゲット基地局へ、セッションに基づき確立されたトンネルを介して送信されるとき、ターゲット基地局は、第１DRBへSDAPエンティティを介して、データパケットの中の、シーケンス番号の割り当てられたPDCPレイヤデータパケットをルーティングし、端末へ第１DRBで、シーケンス番号の割り当てられたPDCPレイヤデータパケットを送信してよい。ターゲット基地局は、第２DRBへSDAPエンティティを介して、SDAPレイヤ及び／又はPDCPレイヤにキャッシュされたシーケンス番号の割り当てられないデータパケットのような残りのデータパケットをルーティングし、該残りのデータパケットを端末へ第２DRBで送信する。任意で、SDAPエンティティは、複数の第２DRBを、ターゲット基地局におけるフローとDRBとの間のマッピング関係に基づき決定し、残りのデータパケットを端末へ送信するために、残りのデータパケットを複数の第２DRBで送信してよい。転送データパケットの中の、シーケンス番号の割り当てられたPDCPレイヤデータパケットは、第３DRBの識別子を伝達してよい。ターゲット基地局は、対応する第１DRBへ、第３DRBと第１DRBとの間のマッピング関係に基づき、シーケンス番号の割り当てられた受信データパケットを転送してよい。
【０２２８】
別の例では、転送用データパケットがターゲット基地局へDRBに基づく１つ以上のトンネルを介して送信されるとき、ターゲット基地局がデータパケットを端末へ送信する特定の方法は、以下を含む。
【０２２９】
第１マッピング関係が第２マッピング関係と同じである場合、ターゲット基地局は、端末へ第１DRBで、DRBに基づき確立されたトンネルを介してターゲット基地局により受信されたデータパケットを送信し、次に、転送データパケットの送信を完了した後に、依然として第１DRBを用いて、コアネットワークからSDAPレイヤを介して受信された別のデータパケットを送信する。
【０２３０】
任意で、ソース基地局は、PDCPレイヤにキャッシュされ且つシーケンス番号の割り当てられていないPDCP  SDUにシーケンス番号を割り当て、ターゲット基地局へ、転送用データパケットのうちの幾つかとして、シーケンス番号の割り当てられたPDCP  SDUを送信してよい。詳細は記載されない。
【０２３１】
第１マッピング関係が第２マッピング関係と異なる場合、ターゲット基地局は、端末へ第１DRBで、DRBに基づき確立されたトンネルを介してターゲット基地局により受信されたデータパケットの中で、フロー識別子を含まないデータパケットを送信し、及び、ターゲット基地局は、端末へ第２DRBで、DRBョンに基づき確立されたトンネルを介してターゲット基地局により受信されたデータパケットの中で、フロー識別子を含むデータパケットを送信する。具体的に、２つのトンネルがターゲット基地局とソース基地局との間でDRBに基づき確立されるとき、ソース基地局の第３DRB及び第１DRBに基づき確立されたトンネルを介して送信されるデータパケットは、第１DRBに基づき送信され、ソース基地局のDRB及び第２DRBに基づき確立されたトンネルを介して送信されるデータパケットは、第２DRBで送信される。１つのトンネルのみがターゲット基地局とソース基地局との間にソース基地局の第３DRB及び第１DRBに基づき存在するとき、ターゲット基地局は、第２DRBへSDAPエンティティを介して、受信データパケットの中で、フロー識別子を含むデータパケットをルーティングしてよく、該データパケットを第２DRBで送信する。本実装では、フロー識別子を含まない別のデータパケットは第１DRBで送信される。本実装では、ソース基地局は、転送用データパケットのフロー識別子を、SDAPエンティティがフロー識別子をPDCPレイヤへハンドオーバ中に送信する方法で取得し、転送用データパケット内で、フロー識別子がハンドオーバのために使用されることを示してよい。代替として、ソース基地局は、本願の実施形態で記載される別のフロー識別子取得方法で、PDCP  SNを有しない全てのPDCPレイヤデータパケットのフロー識別子を生成し、ターゲット基地局へフロー識別子を含むデータパケットを転送してよい。詳細は記載されない。
【０２３２】
本実装では、代替として、ソース基地局は、本願において記載される種々のフロー識別子取得方法で、シーケンス番号の割り当てられないPDCPレイヤデータパケットのフロー識別子を生成し、ターゲット基地局へフロー識別子を含む転送用データパケットを転送してよい。詳細は記載されない。
【０２３３】
任意で、転送データパケットが、シーケンス番号の割り当てられないPDCPレイヤデータパケットであり、データパケットのうちの幾つかはフロー識別子を含み、残りのデータパケットはフロー識別子を含まない場合、転送データパケットは端末へ第１DRBで送信される。これは、データパケット送信継続性及び正確性を向上できる。反射QoSを特徴とする非アクセスストラタムのデータパケットフローは、第１DRBで送信されてよい。反射QoSは、フローがアップリンク及びダウンリンク対称性を特徴とすることを意味する。具体的に言うと、アップリンク方向のフロー及びダウンリンク方向のフローが同じQoSを有し、アップリンクトラフィックフローテンプレート（traffic  flow  template,  TFT）及びダウンリンクトラフィックフローテンプレートが対称的である。例えば、アップリンク送信元アドレス及び送信元ポート番号は、ダウンリンク宛先アドレス及び宛先ポート番号であり、アップリンク宛先アドレス及び宛先ポート番号は、ダウンリンク送信元アドレス及び送信元ポート番号である。本シナリオでは、アクセスネットワーク装置は、フロー識別子を無線インタフェースデータパケットに追加し、端末は受信したフロー識別子及びダウンリンクデータパケットの５タプル情報に基づき、アップリンク方向のフローのQoS、及び対応するTFTを取得する。
【０２３４】
アップリンク方向では、端末は、ターゲット基地局へ第１DRB又は第２DRBで、転送データパケットを含むアップリンクデータパケットを送信してよい。
【０２３５】
任意で、端末によりターゲット基地局へ送信されるアップリンクデータパケットは、端末によりソース基地局のDRBで送信することに失敗した、シーケンス番号の割り当てられたPDCP  SDU、及び端末によりソース基地局のDRBで送信することに失敗した、シーケンス番号の割り当てられないPDCP  SDUのような、連続アップリンク送信の必要なデータパケットを含む。全てのアップリンクデータパケットはフロー識別子を含む。
【０２３６】
任意で、ターゲット基地局は、アップリンクデータパケットを第１DRBから受信する。具体的に、第１マッピング関係が第２マッピング関係と同じである場合、端末は、PDCPレイヤデータパケットを第１DRBで送信し続けてよい。PDCPレイヤデータパケットは、シーケンス番号の割り当てられた送信の失敗したPDCP  SDU、及び／又はシーケンス番号の割り当てられない送信の失敗したPDCP  SDUを含む。
【０２３７】
任意で、ソース基地局は、状態レポート（status  report）を端末へ送信し、端末は被送信データパケットを状態レポートに基づき決定する。状態レポートは、ターゲット基地局の反射DRB上のPDCP  SDUの受信状態を示し且つ受信側で正しく受信されなかったPDCP  SDUを送信するよう端末に通知するために使用される、PDCP状態レポートであってよい。ターゲット基地局がPDCP状態レポートを送信しない場合、端末は、全てのキャッシュされたPDCP  SDUを反射DRBで送信してよい。
【０２３８】
第１マッピング関係が第２マッピング関係と異なる場合、端末は、第１DRBで、PDCPレイヤにキャッシュされシーケンス番号の割り当てられたPDCP  SDU、及び／又はPDCPレイヤにキャッシュされシーケンス番号の割り当てられないPDCP  SDUのような、全てのデータパケットを送信し続けてよい。端末がPDCPレイヤデータパケットの送信を完了した後に、SDAPエンティティは、第２DRBへ送信のために、SDAPレイヤにキャッシュされたデータパケットのような別のデータパケットをルーティングしてよい。端末のPDCPエンティティは、ターゲット基地局のSDAPエンティティに、データパケット送信が完了したことを通知してよい。
【０２３９】
任意で、ターゲット基地局は、アップリンクデータパケットを第２DRBから受信する。受信方法は、第１マッピング関係が第２マッピング関係と異なるシナリオに適用可能である。具体的に、端末は、SDAPエンティティへ、シーケンス番号の割り当てられた送信の失敗したPDCP  SDU、及び／又はシーケンス番号の割り当てられない送信の失敗したPDCP  SDUを含む、DRBに対応するPDCPレイヤデータパケットを順次送信してよい。順次送信することは、データパケットをSDAPレイヤへ、PDCPレイヤによりSDAPレイヤからデータパケットを受信した順序で、送信することを意味する。SDAPエンティティは、セッションに基づき確立され、SDAPエンティティへ送信される全てのデータパケットはフロー識別子を含む。PDCP  PDUは、ターゲット基地局により受信に成功したデータパケットを含む。ターゲット基地局のDRBに対応する、端末のPDCPエンティティは、シーケンス番号除去又は復号のような動作をPDCP  PDUに対して実行して、PDCP  PDUをPDCP  SDUに変換する。代替として、端末の、ターゲット基地局のDRBに対応するSDAPエンティティは、PDCP  PDUのシーケンス番号を除去する。端末のSDAPエンティティは、対応するDRB（つまり第２DRB）へ、第２マッピング関係に基づき、PDCPレイヤから受信したデータパケットをルーティングする。SDAPエンティティは、先ず、第２DRBへ、PDCPレイヤから受信したデータパケットを送信し、次に、第２DRBへ、上位レイヤから受信したデータパケットを送信する。本シナリオでは、ターゲット基地局及び第２アクセスネットワーク装置はアップリンク方向のデータ転送処理を実行しなくてよいことが理解され得る。
【０２４０】
任意で、ターゲット基地局は、第１DRBから、アップリンクデータパケットの中の、シーケンス番号の割り当てられたPDCPレイヤデータパケットを受信し、第２DRBから、アップリンクデータパケットの中の、シーケンス番号の割り当てられないPDCPレイヤデータパケット、及び／又はアップリンクデータパケットの中のSDAPレイヤデータパケットを受信する。受信方法は、第１マッピング関係が第２マッピング関係と異なるシナリオに適用可能である。具体的に、端末は、第１DRBで、シーケンス番号の割り当てられた送信の失敗したPDCP  SDUを送信し続けてよい。ソース基地局は、状態レポートを端末へ送信してよく、端末は被送信データパケットを状態レポートに基づき決定する。詳細は記載されない。さらに、端末は、PDCP  SDUをSDAPエンティティへ順次送信してよい。SDAPエンティティへ送信される全てのデータパケットはフロー識別子を含む。SDAPエンティティは、対応するDRBへ、第２マッピング関係に基づき、PDCPレイヤから受信したデータパケットをルーティングする。SDAPエンティティは、先ず、対応するDRBへ、PDCPレイヤから受信したデータパケットを送信し、次に、対応するDRBへ、上位レイヤから受信したデータパケットを送信する。
【０２４１】
本願の一実装では、背負ブロードキャストサービス又はIP呼サービスのような非認証モード（unacknowledged  mode,  UM）サービスが無線インタフェースを介して実行されるとき、該サービスに関連するデータパケットの無線インタフェース送信状態に関する情報は、ターゲット基地局とソース基地局との間で転送される必要がない。具体的に、アップリンク方向で、ソース基地局は、データ転送を実行することなく、受信の成功したデータパケットをコアネットワークへ送信する。端末は、ターゲット基地局にアクセスし、端末は、データパケットを新DRBで、ターゲット基地局により構成された第２マッピング関係に基づき送信する。本シナリオは、第１マッピング関係が第２マッピング関係と同じ又は異なるシナリオに適用可能である。ダウンリンク方向で、ソース基地局は、ターゲット基地局へ、未だ送信されていないデータパケット及びコアネットワークから受信した新データパケットを転送する。認証モード（acknowledged  mode,  AM）サービスと比べて、非認証モードサービスでは、転送用データパケットは、ソース基地局のDRB上の、シーケンス番号の割り当てられたPDCP  SDUを含まない。言い換えると、ソース基地局は、ターゲット基地局へ、ソース基地局のDRBで送信に成功しなかったPDCP  SDUを送信する必要がない。ターゲット基地局又はソース基地局の他の動作は、AMモードにおけるダウンリンクデータ送信処理におけるものと一致する。詳細は記載されない。
【０２４２】
任意で、アップリンクデータパケットを受信した後に、ターゲット基地局は、先ず、PDCP  SNの昇順で、コアネットワークへ、アップリンクデータパケットの中の、シーケンス番号の割り当てられたPDCP  SDUを配信し、次に、コアネットワークへ、アップリンクデータパケットの中の、シーケンス番号の割り当てられないPDCP  SDUを配信する。
【０２４３】
本願の一実装では、ダウンリンク方向又はアップリンク方向でデータパケットを送信する処理において、同じフローに属するデータパケットは、異なるDRBで送信されてよい。例えば、同じフロー内の幾つかのデータパケットは、反射DRBで送信され、残りのデータパケットは新DRBで送信される。反射DRB及び新DRBは、時間次元でのみ区別される。例えば、ターゲット基地局へ最初に送信されるデータパケットは、反射DRBで送信され、ターゲット基地局へ後に送信されるデータパケットは、新DRBで送信される。この場合、同じフロー内のデータパケットは、以下の方法のいずれかで順次送信できる。
【０２４４】
任意で、送信端はデータパケット送信シーケンスを制御する。具体的に、転送データパケットの第１DRB上での送信が完了した後に、第２DRBは別のデータパケットを送信するよう指示される。任意で、第１DRBに対応するPDCPエンティティは、第２DRBに対応するPDCPエンティティに通知してよい。第１DRBが複数のフローのデータパケットを含む場合、第１DRBは、各フローのマッピングする第２DRBに通知してよい。代替として、転送データパケットの第１DRB上での送信が完了した後に、SDAPエンティティが通知されてよい。例えば、第１DRBのPDCPエンティティは、対応するSDAPエンティティに、転送データパケットの送信が完了したことを通知してよい。第１DRBに対応するPDCPエンティティがフロー識別子を知ることができる場合、PDCPエンティティは、対応するSDAPエンティティに、転送データパケットの中の、１つのフローに属するデータパケットの送信が完了したことを通知してよい。SDAPエンティティが、PDCPエンティティにより送信された転送データパケットが送信に成功したことを知ることができる場合、SDAPエンティティは、対応するフローのデータパケットを対応する第２DRBへルーティングし始め、対応するフローのデータパケットは、第１DRB上での送信の完了したフローの中のSDAPレイヤデータパケットである。
【０２４５】
任意で、受信端はデータパケット送信シーケンスを制御する。具体的に、受信端は、同じフロー内のデータパケットを第１DRB及び第２DRBから受信し、受信端は、異なるDRBからのデータパケット同士をエンドマーカに基づき区別してよく、異なるDRBから受信したデータパケットをソートする。例えば、受信端は、先ず、上位レイヤのプロトコルレイヤエンティティに、第１DRBから受信した、フローのデータパケットを配信し、次に、上位レイヤのプロトコルレイヤエンティティに、第２DRBから受信した、フローのデータパケットを配信する。エンドマーカは、第１DRB上のデータパケット送信が終了したことを示すために使用される。エンドマーカは、独立データパケット又は制御パケット、例えば独立SDAPレイヤ又はPDCPレイヤデータパケット又は制御パケットであってよい。代替として、エンドマーカは、PDCP  PDUのような特定データパケットがエンドマーカであることを示してよい。
【０２４６】
ダウンリンク方向で、送信端はネットワーク側、例えばターゲット基地局であり、受信端は端末側であること、及びアップリンク方向で、送信端は端末側であり、受信端はネットワーク側、例えばターゲット基地局であることが理解され得る。
【０２４７】
本願の一実装では、ソース基地局のPDCPレイヤがデータパケットのフロー識別子を取得しない場合、ソース基地局によりターゲット基地局へ送信された転送用データパケットはフロー識別子を含まない。本シナリオでは、ダウンリンク方向で、ターゲット基地局は、データパケットを端末へ以下の方法のうちのいずれか１つで送信してよい。
【０２４８】
転送用データパケットがターゲット基地局へ、DRBに基づき確立された１つ以上のトンネルを介して送信されるとき、ターゲット基地局は、転送データパケットを端末へ第１DRB（つまり、反射DRB）で送信してよく、次に、転送データパケットの送信を完了した後に、依然として第１DRBを用いて、コアネットワークからSDAPレイヤを介して受信した別のデータパケットを送信してよい。送信方法は、第１マッピング関係が第２マッピング関係と同じであるシナリオ、又は第１マッピング関係が第２マッピング関係と異なるシナリオのいずれにも適用可能である。
【０２４９】
転送用データパケットがターゲット基地局へDRBに基づく１つのトンネル及びセッションに基づき確立された１つのトンネルを介して送信されるとき、セッションに基づき確立されたトンネルは、SDAPレイヤでキャッシュされたデータパケットを送信するために使用されてよく、DRBに基づき確立されたトンネルは、PDCPレイヤでキャッシュされたデータパケットを送信するために使用されてよい。具体的に、第２マッピング関係が第１マッピング関係と同じである場合、ターゲット基地局は、転送データパケットを端末へ第１DRB（反射DRB）で送信し、次に、転送データパケットの送信を完了した後に、依然として第１DRBを用いて、コアネットワークからSDAPレイヤを介して受信された別のデータパケットを送信してよい。第２マッピング関係が第１マッピング関係と異なる場合DRBに基づくトンネル上の全ての転送データパケットは、ターゲット基地局の対応する反射DRBで送信される。ターゲット基地局のSDAPエンティティは、新DRBへ、セッションに基づき確立されたトンネルから受信された全ての転送データパケットをルーティングし、データパケットを新DRBへ送信してよい。
【０２５０】
任意で、ソース基地局は、PDCPレイヤにキャッシュされたPDCP  SDUにシーケンス番号を割り当て、ターゲット基地局へ、転送用データパケットのうちの幾つかとして、シーケンス番号の割り当てられたPDCP  SDUを送信してよい。詳細は記載されない。
【０２５１】
転送用データパケットがターゲット基地局へ、セッションに基づき確立された１つのトンネルを介して送信されるとき、ターゲット基地局は、転送データパケットを第２DRBへ、第２マッピング関係に基づきルーティングし、データパケットを送信する。受信端は全ての順序の狂ったデータパケットを廃棄する。さらに、受信端は、ターゲット基地局に、廃棄データパケットの初期シーケンス番号、又はコアネットワークに配信された最後のデータパケットのシーケンス番号を通知してよい。本シナリオでは、ターゲット基地局は、反射DRBを確立しなくてよい。転送データパケットは、識別されたPDCPレイヤデータパケットの後の全てのデータパケットであり、識別されたデータパケットは、送信端が、もはや、該データパケットの前にデータパケットを送信しないが、送信端は該データパケットの後にデータパケットを繰り返し送信することを示すために使用される。
【０２５２】
本願の本実施形態で提供されるデータ送信方法によると、ダウンリンク方向で、転送用データパケットは、異なる種類のトンネルを介して送信され、転送データパケットは、端末へトンネル種類に対応する送信方法で送信される。アップリンク方向で、端末は、アップリンクデータパケットをネットワーク側へ異なるDRBで送信する。本願の本実施形態では、種々の柔軟なデータパケット送信方法が提供され、データパケット送信方法は、以下の問題を回避するために実際のネットワーク状態に基づき選択できる。ハンドオーバ又はデュアルコネクティビティ又は別のシナリオで、各基地局がフローとDRBとの間のマッピング関係を独立して構成するために、データパケットが損失し又は繰り返し送信されること。これは、端末サービス継続性を向上し、通信品質を向上する。
【０２５３】
図７は、本願の一実施形態によるアクセスネットワーク装置７００の概略構造図である。
【０２５４】
アクセスネットワーク装置７００は、図１に示す通信システムに適用可能である。アクセスネットワーク装置７００は、図２又は図５に示す実施形態における第１アクセスネットワーク装置、又は図６に示す実施形態におけるターゲット基地局により実行される動作を実行してよい。
【０２５５】
図７に示すように、アクセスネットワーク装置７００は、受信ユニット７０１及び処理ユニット７０２を含む。
【０２５６】
受信ユニット７０１は、転送データパケット（又は１つの転送データパケット）を第２アクセスネットワーク装置から受信するよう構成される。
【０２５７】
任意で、ハンドオーバシナリオで、アクセスネットワーク装置７００はターゲット基地局であり、第２アクセスネットワーク装置はソース基地局である。
【０２５８】
任意で、デュアルコネクティビティシナリオでは、アクセスネットワーク装置７００は２次基地局であり、第２アクセスネットワーク装置はマスタ基地局であり、或いは、アクセスネットワーク装置７００はマスタ基地局であり、第２アクセスネットワーク装置は２次基地局である。
【０２５９】
処理ユニット７０２は、第１DRBに、転送データパケットの中の、フロー識別子を含む少なくとも１つのデータパケットをマッピングするよう構成される。第１DRBは、第２アクセスネットワーク装置のDRBに対応する。
【０２６０】
第１DRB及び第２アクセスネットワーク装置のDRBは、それぞれ、第１マッピング関係に適合し、第１マッピング関係は、第２アクセスネットワーク装置におけるフローとDRBとの間のマッピング関係である。
【０２６１】
任意で、処理ユニット７０２は、第１DRBに、転送データパケットの中の、フロー識別子を含まないデータパケットをマッピングするよう更に構成される。
【０２６２】
任意で、処理ユニット７０２は、第２DRBに、第２マッピング関係に基づき、転送データパケットの中の、第１DRBにマッピングされたデータパケット以外の、フロー識別子を含む少なくとも１つのデータパケットをマッピングするよう更に構成される。第２マッピング関係は、第１アクセスネットワーク装置におけるフローとDRBとの間のマッピング関係である。
【０２６３】
第１DRBは、第２アクセスネットワーク装置のDRBの送信状態を維持できる反射DRBである。第２DRBは、アクセスネットワーク装置７００により構成されたフローとDRBとの間のマッピング関係、つまり第２マッピング関係に基づき、アクセスネットワーク装置７００により確立された新DRBである。
【０２６４】
第１DRBはフロー識別子を含むデータパケット又はフロー識別子を含まないデータパケットを送信するために使用されてよく、第２DRBはフロー識別子を含むデータパケットを送信するために使用されてよいことが理解され得る。
【０２６５】
第１DRB、第２DRB、第１マッピング関係及び第２マッピング関係の詳細な説明については、本願の別の実施形態における関連する内容を参照する。詳細は、再び記載されない。
【０２６６】
任意で、処理ユニット７０２は、第１DRB上でのデータパケット送信が完了した後に、第１DRBを解放するよう更に構成される。詳細な説明については、本願の別の実施形態における関連する内容を参照する。詳細は、再び記載されない。
【０２６７】
任意で、本願の一実装では、受信ユニット７０１は、具体的に、転送データパケットを第２アクセスネットワーク装置から、DRBに基づき確立されたトンネル及びセッションに基づき確立されたトンネルを介して受信するよう構成される。DRBに基づき確立されたトンネルは、第２アクセスネットワーク装置の、シーケンス番号の割り当てられたPDCPレイヤデータパケットを送信するために使用されてよい。セッションに基づき確立されたトンネルは、第２アクセスネットワーク装置のSDAPレイヤデータパケットを送信するために使用されてよく、及び／又はセッションに基づき確立されたトンネルは、第２アクセスネットワーク装置の、フロー識別子を含み且つシーケンス番号の割り当てられないPDCPレイヤデータパケットを送信するために使用される。次に、処理ユニット７０２は、第１DRBに、DRBに基づき確立されたトンネルを介して受信されたデータパケットをマッピングし、第２DRBに、セッションに基づき確立されたトンネルを介して受信されたデータパケットをマッピングしてよい。
【０２６８】
任意で、本願の一実装では、受信ユニット７０１は、具体的に、転送データパケットを第２アクセスネットワーク装置から、DRBに基づき確立された１つ以上のトンネルを介して受信するよう構成される。次に、処理ユニット７０２は、第１DRBに、受信した転送データパケットの中の、フロー識別子を含まないデータパケットをマッピングし、第２DRBに、転送データパケットの中の、フロー識別子を含むデータパケットをマッピングしてよい。
【０２６９】
任意で、本願の一実装では、受信ユニット７０１は、具体的に、第２アクセスネットワーク装置からセッションに基づき確立されたトンネルを介して、転送データパケットの中で、フロー識別子を含むデータパケットを受信するよう構成される。次に、処理ユニット７０２は、第１DRBに、SDAPエンティティを介して、転送データパケットの中の、シーケンス番号の割り当てられたPDCPレイヤデータパケットをルーティングし、及び、第２DRBに、シーケンス番号の割り当てられないPDCPレイヤデータパケット又はSDAPレイヤデータパケットをルーティングしてよい。
【０２７０】
任意で、アクセスネットワーク装置７００は、端末へ第１DRBで又は第１DRB及び第２DRBで、転送データパケットを含むダウンリンクデータパケットを送信するよう構成される送信ユニット７０３を更に含む。例えば、送信ユニット７０３は、端末へ第１DRBで、転送データパケットの中の、シーケンス番号の割り当てられたPDCPレイヤデータパケットを送信し、端末へ第２DRBで、転送データパケットの中の、シーケンス番号の割り当てられないPDCPレイヤデータパケットを送信するよう構成される。
【０２７１】
異なる種類のトンネルを介する転送データパケットの受信の詳細な説明、及び異なる種類のトンネルに対応するダウンリンクデータ送信方法の詳細な説明については、本願の別の実施形態における関連する内容を参照する。詳細は、ここで再び記載されない。
【０２７２】
図８は、本願の一実施形態によるアクセスネットワーク装置８００の概略構造図である。
【０２７３】
アクセスネットワーク装置８００は、図１に示す通信システムに適用可能である。アクセスネットワーク装置８００は、図３又は図５に示す実施形態における第１アクセスネットワーク装置、又は図６に示す実施形態におけるターゲット基地局により実行される動作を実行してよい。
【０２７４】
アクセスネットワーク装置８００は、転送データパケット（又は１つの転送データパケット）を第２アクセスネットワーク装置から受信するよう構成される受信ユニット８０１と、処理ユニット８０２であって、第１データ無線ベアラDRBに、転送データパケットの中の、フロー識別子を含まないデータパケットをマッピングするよう構成され、第１DRBは第２アクセスネットワーク装置のDRBに対応し、及び、第２DRBに、第２マッピング関係に基づき、転送データパケットの中の、フロー識別子を含むデータパケットをマッピングするよう構成され、第２マッピング関係は第１アクセスネットワーク装置におけるフローとDRBとの間のマッピング関係である、処理ユニット８０２と、を含む。
【０２７５】
第１DRB及び第２アクセスネットワーク装置のDRBは、それぞれ、第１マッピング関係に適合し、第１マッピング関係は、第２アクセスネットワーク装置におけるフローとDRBとの間のマッピング関係である。
【０２７６】
第１DRB、第２DRB第１マッピング関係及び第２マッピング関係の詳細な説明については、本願の別の実施形態における関連する内容を参照する。詳細は、再び記載されない。
【０２７７】
任意で、処理ユニット８０２は、SDAPエンティティを介して第２DRBに、転送データパケットの中の、フロー識別子を含むデータパケットをルーティングするよう更に構成される。
【０２７８】
任意で、本願の一実装では、アクセスネットワーク装置８００は、端末へ、第１DRBで、転送データパケットの中の、フロー識別子を含まず且つシーケンス番号の割り当てられたデータパケットを送信し、端末へ、第２DRBで、転送データパケットの中の、フロー識別子を含み且つシーケンス番号の割り当てられないデータパケットを送信するよう構成される送信ユニット８０３、を更に含む。
【０２７９】
任意で、処理ユニット８０２は、第１DRB上でのデータパケット送信が完了した後に、第１DRBを解放するよう更に構成される。詳細な説明については、本願の別の実施形態における関連する内容を参照する。詳細は、再び記載されない。
【０２８０】
任意で、本願の一実装では、受信ユニット８０１は、アクセスネットワーク装置８００と第２アクセスネットワーク装置との間のトンネルを介して、転送データパケットを受信する。ダウンリンク方向で、第１アクセスネットワーク装置と第２アクセスネットワーク装置との間のトンネルは、異なる方法で確立されてよい。異なる種類のトンネルを介する転送データパケットの受信の詳細な説明、及び異なる種類のトンネルに対応するダウンリンクデータ送信方法の詳細な説明については、本願の別の実施形態における関連する内容を参照する。詳細は、ここで再び記載されない。
【０２８１】
図９は、本願の一実施形態によるアクセスネットワーク装置９００の概略構造図である。
【０２８２】
アクセスネットワーク装置９００は、図１に示す通信システムに適用可能である。アクセスネットワーク装置９００は、図２〜図５に示す実施形態のうちのいずれか１つにおける第２アクセスネットワーク装置、又は図６に示す実施形態におけるソース基地局により実行される動作を実行してよい。
【０２８３】
アクセスネットワーク装置９００は、フロー識別子を含む転送用データパケット（又は、フロー識別子を含む複数の転送用データパケット）を生成するよう構成される処理ユニット９０１と、第１アクセスネットワーク装置へ、フロー識別子を含む転送用データパケット（又は、フロー識別子を含む複数の転送用データパケット）を送信するよう構成される送信ユニット９０２と、を含む。
【０２８４】
任意で、ダウンリンク方向で、転送用データパケットは、以下のデータパケット：第２アクセスネットワーク装置の、シーケンス番号が割り当てられ且つ受信肯定応答が端末から取得されていないPDCPレイヤデータパケット；第２アクセスネットワーク装置の、シーケンス番号が割り当てられていないPDCPレイヤデータパケット；及び、第２アクセスネットワーク装置のサービスデータアダプテーションプロトコルSDAPレイヤデータパケット；のうちの少なくとも１種類を含む。
【０２８５】
任意で、ダウンリンク方向で、送信ユニット９０２は、第１アクセスネットワーク装置へ、フロー識別子を含まない転送用データパケットを送信するよう更に構成されてよい。
【０２８６】
任意で、ダウンリンク方向で、送信ユニット９０２は、転送用データパケットを第１アクセスネットワーク装置へ、異なる種類のトンネルを介して送信するよう更に構成されてよい。種々のトンネル及び種々のトンネルにおける転送用データパケットの送信の詳細な説明については、本願の別の実施形態における関連する内容を参照する。詳細は、ここで再び記載されない。
【０２８７】
任意で、本願の一実装では、ダウンリンク方向で、処理ユニットは、フロー識別子をPDCPエンドマーカを介して取得して、該フロー識別子を転送用データパケットに追加し、フロー識別子を含む転送用データパケットを生成するよう更に構成されてよい。次に、第１アクセスネットワーク装置は、転送データパケットをパースしてフロー識別子を取得する。フロー識別子を含むデータパケットをどのように生成するかの詳細な説明については、図５に示す実施形態の関連する内容を参照する。詳細は、ここで再び記載されない。
【０２８８】
任意で、アップリンク方向では、転送用データパケットは、端末から受信された順序の狂ったデータパケットを含む。アクセスネットワーク装置９００は、受信ユニット９０３を用いて順序の狂ったデータパケットを受信してよい。アップリンク方向の全ての転送用データパケットはフロー識別子を含む。送信ユニット９０２は、アップリンク方向の転送用データパケットを第１アクセスネットワーク装置へ、DRBに基づき確立されたトンネルを介して送信してよい。詳細は、ここで記載されない。
【０２８９】
図１０は、本願の一実施形態によるアクセスネットワーク装置１０００の概略構造図である。
【０２９０】
アクセスネットワーク装置１０００は、図１に示す通信システムに適用可能である。アクセスネットワーク装置１０００は、図４に示す実施形態における第１アクセスネットワーク装置により実行される動作、又は図６に示す実施形態におけるターゲット基地局により実行される動作を実行してよい。
【０２９１】
アクセスネットワーク装置１０００は、転送データパケット（又は複数の転送データパケット）を第２アクセスネットワーク装置から受信するよう構成される受信ユニット１００１であって、転送データパケットはフロー識別子を含み、転送データパケットは第２アクセスネットワーク装置により端末から受信された順序の狂ったデータパケットを含む、受信ユニット１００１と、受信した転送データパケットをコアネットワーク装置へ送信するよう構成される送信ユニット１００２と、を含む。
【０２９２】
任意で、受信ユニット１００１は、アクセスネットワーク装置１０００と第２アクセスネットワーク装置との間のトンネルを介して、転送データパケットを受信する。トンネルは、第１アクセスネットワーク装置と第２アクセスネットワーク装置との間にDRBに基づき確立されるトンネルであってよい。トンネルについては、本願の別の実施形態における、DRBに基づき確立されるトンネルの関連する記載を参照する。詳細は、再び記載されない。
【０２９３】
受信ユニット１００１は、アップリンクデータパケットを端末から受信するよう更に構成される。アップリンクデータパケットは、以下のデータパケット：端末により第２アクセスネットワーク装置への送信に失敗した、シーケンス番号の割り当てられたPDCPレイヤデータパケット；端末の、シーケンス番号の割り当てられないPDCPレイヤデータパケット；及び端末のSDAPレイヤデータパケット；のうちの少なくとも１種類を含む。
【０２９４】
任意で、受信ユニット１００１は、具体的に、アップリンクデータパケットを第１DRBで受信するよう構成される。
【０２９５】
任意で、受信ユニット１００１は、具体的に、アップリンクデータパケットを第２DRBで受信するよう構成される。
【０２９６】
任意で、受信ユニット１００１は、具体的に、第１DRBで、端末の、アップリンクデータパケットの中の、シーケンス番号の割り当てられたPDCPレイヤデータパケットを受信し、第２DRBで、端末の、アップリンクデータパケットの中の、シーケンス番号の割り当てられないPDCPレイヤデータパケット、及び／又はアップリンクデータパケットの中の、端末のSDAPレイヤデータパケットを受信するよう構成される。
【０２９７】
任意で、受信ユニット１００１は、具体的に、第１DRBで、アップリンクデータパケットの中の、端末のPDCPレイヤデータパケットを受信し、第２DRBで、アップリンクデータパケットの中の、端末のSDAPレイヤデータパケットを受信するよう構成される。
【０２９８】
第１DRBは、反射DRBである。第２DRBは、新DRBである。第１DRB及び第２DRBの詳細な説明については、本願の別の実施形態における関連する内容を参照する。詳細は、再び記載されない。
【０２９９】
図１１は、本願の一実施形態による端末１１００の概略構造図である。
【０３００】
端末１１００は、図１に示す通信システムに適用可能である。端末１１００は、図２〜図６に示す実施形態のうちのいずれか１つにおける端末により実行される動作を実行してよい。
【０３０１】
端末１１００は、アップリンクデータパケットをアクセスネットワーク装置へ送信するよう構成される送信ユニット１１００であって、アップリンクデータパケットはフロー識別子を含む、送信ユニット１１００、及び／又は、ダウンリンクデータパケットをアクセスネットワーク装置から受信するよう構成される受信ユニット１１０２であって、ダウンリンクデータパケットのうちの少なくとも１つはフロー識別子を含む、受信ユニット１１０２、を含む。
【０３０２】
ダウンリンクデータパケットは、ダウンリンク方向の転送データパケット（又は複数の転送データパケット）を含む。転送データパケットの詳細な説明については、本願の別の実施形態における関連する内容を参照する。詳細は、ここで再び記載されない。
【０３０３】
任意で、送信ユニット１１０１は、具体的に、アップリンクデータパケットをアクセスネットワーク装置へ第１DRBで送信するよう構成される。
【０３０４】
任意で、送信ユニット１１０１は、具体的に、アップリンクデータパケットをアクセスネットワーク装置へ第２DRBで送信するよう構成される。
【０３０５】
任意で、送信ユニット１１０１は、具体的に、アクセスネットワーク装置へ第１DRBで、アップリンクデータパケットの中の、シーケンス番号の割り当てられたPDCPレイヤデータパケットを送信し、アクセスネットワーク装置へ第２DRBで、アップリンクデータパケットの中の、シーケンス番号の割り当てられないPDCPレイヤデータパケット、及び／又はアップリンクデータパケットの中の、SDAPレイヤデータパケットを送信するよう構成される。第１DRBで送信されるPDCPレイヤデータパケットは、フロー識別子を含むデータパケットであってよく、又はフロー識別子を含まないデータパケットであってよい。
【０３０６】
任意で、送信ユニット１１０１は、具体的に、アップリンクデータパケットの中のPDCPレイヤデータパケットをアクセスネットワーク装置へ第１DRBで送信し、アップリンクデータパケットの中のSDAPレイヤデータパケットをアクセスネットワーク装置へ第２DRBで送信するよう構成される。PDCPレイヤデータパケットは、シーケンス番号の割り当てられたデータパケット、及びシーケンス番号の割り当てられないデータパケットを含む。
【０３０７】
任意で、受信ユニット１１０２は、具体的に、ダウンリンクデータパケットをアクセスネットワーク装置から第１DRBで受信するよう構成される。
【０３０８】
任意で、受信ユニット１１０２は、具体的に、アクセスネットワーク装置から第２DRBで、フロー識別子を含むダウンリンクデータパケットを受信するよう構成される。
【０３０９】
任意的に、受信ユニット１１０２は、具体的には、アクセスネットワーク装置から第１DRBで、ダウンリンクデータパケットの中で、フロー識別子を含まないデータパケットを受信し、アクセスネットワーク装置から第２DRBで、ダウンリンクデータパケットの中の、フロー識別子を含むデータパケットを受信するよう構成される。
【０３１０】
任意で、受信ユニット１１０２は、具体的に、アクセスネットワーク装置から第１DRBで、ダウンリンクデータパケットの中の、シーケンス番号の割り当てられたPDCPレイヤデータパケットを受信し、アクセスネットワーク装置から第２DRBで、ダウンリンクデータパケットの中の、フロー識別子を含み且つシーケンス番号の割り当てられないPDCPレイヤデータパケット、及び／又はダウンリンクデータパケットの中の、SDAPレイヤデータパケットを受信するよう構成される。
【０３１１】
第１DRBは、反射DRBである。第２DRBは、新DRBである。第１DRB及び第２DRBの詳細な説明については、本願の別の実施形態における関連する内容を参照する。詳細は、再び記載されない。
【０３１２】
アクセスネットワーク装置は、端末によりアクセスされたアクセスネットワーク装置である。アクセスネットワーク装置がハンドオーバ後に端末によりアクセスされたアクセスネットワーク装置である又はデュアルコネクティビティ処理においてオフロードされたデータを受信するアクセスネットワーク装置であるとき、ダウンリンクデータパケットは、ダウンリンク方向の転送データパケット、及びアクセスネットワーク装置によりコアネットワークから受信された別のダウンリンクデータパケットを含む。詳細な説明については、本願の別の実施形態における関連する内容を参照する。詳細は、再び記載されない。
【０３１３】
図１２は、本願の一実施形態によるアクセスネットワーク装置１２００の概略構造図である。
【０３１４】
アクセスネットワーク装置１２００は、図１に示す通信システムに適用可能である。アクセスネットワーク装置１２００は、図２〜図５に示す実施形態のうちのいずれか１つにおける第１アクセスネットワーク装置、又は図６に示す実施形態におけるターゲット基地局により実行される動作を実行してよい。
【０３１５】
アクセスネットワーク装置１２００は、１つ以上のリモート無線ユニット（remote  radio  unit,  RRU）１２０１、及び１つ以上のベースバンドユニット（baseband  unit,  BBU）１２０２を含む。RRU１２０１は、通信機ユニット、通信機、通信機回路、トランシーバ、等と呼ばれてよく、RRU１２０１は、少なくとも１つのアンテナ１２０１１及び無線周波数ユニット１２０１２を含んでよい。RRU１２０１は、主に、無線周波数信号を送信／受信し、無線周波数信号とベースバンド信号との間の変換を実行するよう構成され、例えば、UEへ前述の方法の実施形態で記載したシグナリング指示のような情報を送信するよう構成される。BBU１２０２は、主に、ベースバンド処理を実行し、アクセスネットワーク装置を制御する、等のように構成される。RRU１２０１及びBBU１２０２は、物理的に一緒に配置されてよく、又は物理的に別個に配置されてよい。言い換えると、アクセスネットワーク装置１２００は、分散型アクセスネットワーク装置である。アクセスネットワーク装置がCU及びDUを含むとき、RRUの機能はDUにより実装されてよく、BBUの機能はCUにより実装されてよく、又は、RRUの機能及びBBUの幾つかの機能はDUにより実装され、BBUの別の機能はCUにより実装され、又は、RRUの幾つかの機能はDUにより実装され、RRUの別の機能及びBBUの機能はCUにより実装される。これは限定されない。
【０３１６】
BBU１２０２は、アクセスネットワーク装置の制御センタであり、処理ユニットとも呼ばれてよく、主に、チャネル符号化、多重化、変調、又はスプレッドスペクトルのようなベースバンド処理機能を達成するよう構成される。例えば、BBUは、図２〜図５に示す実施形態のうちのいずれか１つにおける第１アクセスネットワーク装置、又は図６に示す実施形態におけるターゲット基地局により実行される動作を実行するよう、アクセスネットワーク装置１２００を制御するよう構成されてよい。
【０３１７】
例えば、BBU１２０２は、１つ以上の基板を含んでよい。複数の基板は、単一のアクセス規格の無線アクセスネットワーク（例えば、NRアクセスネットワーク）を共同でサポートしてよく、又は異なるアクセス規格の無線アクセスネットワークをサポートしてよい。BBU１２０２は、メモリ１２０２１及びプロセッサ１２０２２を更に含む。メモリ１２０２１は、必要な命令及び必要なデータを格納するよう構成される。例えば、メモリ１２０２１は、前述の実施形態におけるUEコンテキストを格納する。プロセッサ１２０２２は、必要な動作を実行するようアクセスネットワーク１２００を制御するよう構成され、例えば、図２〜図４に示す実施形態のうちのいずれか１つにおける第１アクセスネットワーク装置の動作を実行するようアクセスネットワーク装置１２００を制御し、又は図５に示す実施形態におけるターゲット基地局の動作を実行するようアクセスネットワーク装置１２００を制御するよう構成される。メモリ１２０２１及びプロセッサ１２０２２は、１つ以上の基板にサービスしてよい。言い換えると、メモリ及びプロセッサは、各基板に別個に配置されてよく、又は複数の基板が同じメモリ及びプロセッサを共有してよい。さらに、必要な回路が各基板に更に配置される。
【０３１８】
例えば、BBU１２０２は、通信ユニット１２０２３を更に含む。通信ユニット１２０２３は、別のアクセスネットワーク装置又はコアネットワーク装置のようなネットワーク要素と通信する際に、アクセスネットワーク装置１２００をサポートするよう、例えば転送データパケットを第２アクセスネットワーク装置から受信する際にアクセスネットワーク装置１２００をサポートするよう構成される。通信ユニット１２０２３は、通信インタフェース、例えばアクセスネットワーク装置１２００と第２アクセスネットワーク装置との間の通信インタフェース、又はアクセスネットワーク装置１２００とコアネットワーク装置との間の通信インタフェースを含んでよい。
【０３１９】
図１３は、本願の一実施形態によるアクセスネットワーク装置１３００の概略構造図である。
【０３２０】
アクセスネットワーク装置１３００は、図１に示す通信システムに適用可能である。アクセスネットワーク装置１３００は、図２〜図５に示す実施形態のうちのいずれか１つにおける第２アクセスネットワーク装置、又は図６に示す実施形態におけるソース基地局により実行される動作を実行してよい。
【０３２１】
アクセスネットワーク装置１３００は、１つ以上のRRU１３０１、及び１つ以上のBBU１３０２を含む。
【０３２２】
BBUは、図２〜図５に示す実施形態における第２アクセスネットワーク装置により実行される動作を実行するようアクセスネットワーク装置１３００を制御し、又は図６に示す実施形態におけるソース基地局により実行される動作を実行するようアクセスネットワーク装置１３００を制御するよう構成されてよい。
【０３２３】
例えば、BBU１３０２は、１つ以上の基板を含んでよい。複数の基板は、単一のアクセス規格の無線アクセスネットワーク（例えば、NRアクセスネットワーク）を共同でサポートしてよく、又は異なるアクセス規格の無線アクセスネットワークをサポートしてよい。BBU１３０２は、メモリ１３０２１及びプロセッサ１３０２２を更に含む。メモリ１３０２１は、必要な命令及び必要なデータを格納するよう構成される。例えば、メモリ１３０２１は、前述の実施形態における第１アクセスネットワーク装置から取得されたUEコンテキストを格納する。プロセッサ１３０２２は、必要な動作を実行するようアクセスネットワーク１３００を制御するよう構成され、例えば、図２〜図５に示す実施形態における第２アクセスネットワーク装置の動作を実行するようアクセスネットワーク装置１３００を制御し、又は図６に示す実施形態におけるソース基地局の動作を実行するようアクセスネットワーク装置１３００を制御するよう構成される。
【０３２４】
例えば、BBU１３０２は、通信ユニット１３０２３を更に含む。通信ユニット１３０２３は、別のアクセスネットワーク装置又はコアネットワーク装置のようなネットワーク要素と通信する際に、アクセスネットワーク装置１３００をサポートするよう、例えば転送用データパケットを第１アクセスネットワーク装置へ送信する際にアクセスネットワーク装置１３００をサポートするよう構成される。通信ユニット１３０２３は、通信インタフェース、例えばアクセスネットワーク装置１３００と第１アクセスネットワーク装置との間の通信インタフェース、又はアクセスネットワーク装置１３００とコアネットワーク装置との間の通信インタフェースを含んでよい。
【０３２５】
RRU及びBBUの機能の詳細な説明、並びにBBU内のメモリ及びプロセッサのような機器の機能の詳細な説明については、図１３に示す実施形態における関連する内容を参照する。詳細は、ここで再び記載されない。
【０３２６】
図１４は、本願の一実施形態による端末１４００の概略構造図である。
【０３２７】
端末１４００は、図１に示す通信システムに適用可能である。端末１４００は、図２〜図６に示す実施形態のうちのいずれか１つにおける端末により実行される動作を実行してよい。
【０３２８】
説明を容易にするために、図１４は端末の主要なコンポーネントのみを示す。図１４に示すように、端末１４００は、プロセッサと、メモリと、制御回路と、アンテナと、入力／出力機器と、を含む。プロセッサは、主に、通信プロトコル及び通信データを処理し、ユーザ機器全体を制御し、ソフトウェアプログラムを実行し、ソフトウェアプログラムのデータを処理するよう構成され、例えば、図２〜図６に記載の端末動作を実行する際に端末１４００をサポートするよう構成される。メモリは、主に、ソフトウェアプログラム及びデータを格納し、例えば前述の実施形態で記載した端末コンテキストを格納するよう構成される。制御回路は、主に、ベースバンド信号と無線周波数信号との間の変換を実行し、無線周波数信号を処理するよう構成される。制御回路及びアンテナは、一緒に通信機とも呼ばれてよく、無線周波数信号を電磁波の形式で送信／受信するよう構成され、例えば、アップリンクデータパケットをアクセスネットワーク装置へ送信し、又はダウンリンクデータパケットをアクセスネットワーク装置から受信するよう構成されてよい。詳細については、方法の実施形態における関連する記載を参照のこと。タッチスクリーン、ディスプレイスクリーン、又はキーボードのような入力／出力機器は、主に、ユーザにより入力されるデータを受信し、データをユーザに出力するよう構成される。
【０３２９】
端末が起動された後に、プロセッサは、記憶ユニット内のソフトウェアプログラムを読み出し、ソフトウェアプログラムの命令を解釈し及び実行し、ソフトウェアプログラムのデータを処理してよい。プロセッサがデータをむせんで送信する必要のあるとき、プロセッサは、被送信データに対してベースバンド処理を実行した後に、ベースバンド信号を無線周波数回路へ出力する。無線周波数処理をベースバンド信号に対して実行した後に、無線周波数回路は、無線周波数信号を電磁波形式でアンテナを介して送信する。データが端末へ送信されるとき、無線周波数回路は、無線周波数信号をアンテナを介して受信し、無線周波数信号をベースバンド信号に変換し、ベースバンド信号をプロセッサに出力する。プロセッサは、ベースバンド信号をデータに変換し、データを処理する。
【０３３０】
当業者は、説明を容易にするために、図１４が１つのメモリのみ及び１つのプロセッサのみを示すことを理解し得る。実際に、端末は、複数のプロセッサ、及び複数のメモリを有してよい。メモリは、記憶媒体、記憶装置、等と呼ばれてもよい。これは、本願の本実施形態において限定されない。
【０３３１】
任意の実装で、プロセッサは、ベースバンドプロセッサ及び中央処理ユニットを含んでよい。ベースバンドプロセッサは、主に、通信プロトコル及び通信データを処理するよう構成される。中央処理ユニットは、主に、端末全体を制御し、ソフトウェアプログラムを実行し、ソフトウェアプログラムのデータを処理するよう構成される。図１４のプロセッサは、ベースバンドプロセッサ及び中央処理ユニットの機能を統合する。当業者は、ベースバンドプロセッサ及び中央処理ユニットが代替として別個のプロセッサであってよく、バスのような技術を介して相互接続されることを理解し得る。当業者は、端末が異なるネットワーク規格に適応するために複数のベースバンドプロセッサを含んでよいこと、及び端末が端末の処理能力を拡張するために複数の中央処理ユニットを含んでよいことを理解し得る。端末内のコンポーネントは、種々のバスを介して接続されてよい。ベースバンドプロセッサは、ベースバンド処理回路又はベースバンド処理チップと表されてもよい。中央処理ユニットは、中央処理回路又は中央処理チップと表されてもよい。通信プロトコル及び通信データを処理する機能は、プロセッサ内で構築されてよく、又は記憶ユニットにソフトウェアプログラムの形式で格納されてよい。プロセッサは、ソフトウェアプログラムを実行して、ベースバンド処理機能を実施する。
【０３３２】
図１５は、本願の一実施形態による通信システム１５００の概略図である。
【０３３３】
通信システム１５００は、第１アクセスネットワーク装置１５０１及び第２アクセスネットワーク装置１５０２を含む。
【０３３４】
第１アクセスネットワーク装置１５０１は、図２〜図５に示す実施形態のうちのいずれか１つにおける第１アクセスネットワーク装置により実行される動作を実行し、又は図６に示す実施形態におけるターゲット基地局により実行される動作を実行してよい。例えば、第１アクセスネットワーク装置は、図７、図８、図１０、又は図１２に示す実施形態におけるアクセスネットワーク装置であってよい。
【０３３５】
第２アクセスネットワーク装置１５０２は、図２〜図５に示す実施形態のうちのいずれか１つにおける第２アクセスネットワーク装置により実行される動作を実行し、又は図６に示す実施形態におけるソース基地局により実行される動作を実行してよい。例えば、第２アクセスネットワーク装置は、図９又は図１３に示す実施形態におけるアクセスネットワーク装置であってよい。
【０３３６】
通信システムは、第１アクセスネットワーク装置１５０１及び第２アクセスネットワーク装置１５０２と別個に通信する端末１５０３を更に含んでよい。端末１５０３は、図２〜図６に示す実施形態のうちのいずれか１つにおける端末により実行される動作を実行してよく、又は図１１又は図１４に示す実施形態における端末であってよい。
【０３３７】
当業者は、本願で提供される実施形態の説明の間で相互参照が行われてよいことを明確に理解し得る。例えば、便宜及び簡略な説明を目的として、本願の実施形態で提供される各機器及び装置の機能及び実行ステップについては、本願の方法の実施形態における関連する説明を参照する。相互参照は、方法の実施形態の間、及び機器の実施形態の間でも行われてよい。
【０３３８】
前述の実施形態の全部又は一部は、ソフトウェア、ハードウェア、ファームウェア又はそれらの任意の組み合わせにより実施されてよい。ソフトウェアにより使用されるとき、前述の実施形態の全部又は一部は、コンピュータプログラムプロダクトの形式で実施されてよい。コンピュータプログラムプロダクトは、１つ以上のコンピュータ命令を含む。コンピュータプログラム命令がコンピュータ上にロードされ実行されると、本発明の実施形態による手順又は機能の全部又は一部が生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はあるコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば同軸ケーブル、光ファイバ、又はデジタル加入者線（DSL））又は無線（例えば赤外線、無線、マイクロ波）方式で送信されてよい。コンピュータ可読記憶媒体は、コンピュータ、又は１つ以上の使用可能媒体を統合するデータ記憶装置、例えばサーバ若しくはデータセンタによりアクセス可能な任意の使用可能媒体であってよい。使用可能媒体は、磁気媒体（例えば、フロッピーディスク、ハードディスク、又は磁気テープ）、光媒体（例えば、DVD）、半導体媒体（例えば、固体ディスク（solid  state  disk,  SSD））、等であってよい。
【０３３９】
本願において提供される幾つかの実施形態では、開示のシステム、装置、及び方法は、本願の範囲から逸脱せずに、他の方法で実装されてよいことが理解されるべきである。例えば、記載の実施形態は単なる例である。例えば、モジュール又はユニット分割は、単なる論理的機能の分割であり、実際の実装の間に他の分割であってよい。例えば、複数のユニット又はコンポーネントは、別のシステムに結合又は統合されてよい。或いは、幾つかの機能は無視されるか又は実行されなくてよい。別個の部分として記載されたユニットは、物理的に別個であってよく又はそうでなくてよい。また、ユニットとして表示された部分は、物理的なユニットであってよく又はそうでなくてよく、言い換えると、１カ所に置かれてよく又は複数のネットワークユニットに分散されてよい。一部又は全部のモジュールは、実施形態のソリューションの目的を達成するために実際の要件に基づき選択されてよい。当業者は、創造的努力を有しないで本願の実施形態を理解し及び実施し得る。
【０３４０】
さらに、開示のシステム、装置、方法、及び異なる実施形態の概略図は、本願の範囲から逸脱せずに、別のシステム、モジュール、技術、又は方法に結合又は統合できる。さらに、表示した又は議論した相互結合又は直接結合又は通信接続は、幾つかのインタフェースを介して実装されてよい。機器又はユニット間の間接結合又は通信接続は、電子的、機械的又は他の形式で実装されてよい。
【０３４１】
上述の説明は、本願の単なる特定の実装であり、本願の保護範囲を制限することを意図しない。本願に開示された技術範囲内にある、当業者により直ちに考案される任意の変形又は置換は、本願の保護範囲に包含されるべきである。したがって、本願の保護範囲は、請求項の保護範囲に従うべきである。
【図１】
0006882510.tif 000002
【図２】
0006882510.tif 000003
【図３】
0006882510.tif 000004
【図４】
0006882510.tif 000005
【図５】
0006882510.tif 000006
【図６】
0006882510.tif 000007
【図７】
0006882510.tif 000008
【図８】
0006882510.tif 000009
【図９】
0006882510.tif 000010
【図１０】
0006882510.tif 000011
【図１１】
0006882510.tif 000012
【図１２】
0006882510.tif 000013
【図１３】
0006882510.tif 000014
【図１４】
0006882510.tif 000015
【図１５】
0006882510.tif 000016